(57)【要約】ロケーションサービス（ＬＣＳ）をサポートするネットワークアーキテクチャが開示される。無線アクセスネットワーク（ＲＡＮ）ノードは、ユーザ機器（ＵＥ）が測距ベースのロケーションサービスセッションをサポートすることを示す登録要求をＵＥから受信する。ＲＡＮノードは、測距ベースのロケーションサービスセッション中に、ＲＡＮノードとコアネットワークとの間の通信において、ＵＥに関連する情報を識別するための内部識別子（ＩＤ）をさらに受信する。ＲＡＮノードは、ＵＥを含む複数のデバイスが関与する測距動作を実行するための無線リソースをＵＥに割り振り、ロケーション結果を識別するために、この無線リソースをＵＥの内部ＩＤに関連付ける。次いで、ＲＡＮノードは、測距動作のために割り振られた無線リソースをＵＥに通知する。【選択図】図１２
2021509798.tif 000002
【特許請求の範囲】
【請求項１】
ワイヤレス通信において第１の無線アクセスネットワーク（ＲＡＮ）ノードを備えるＲＡＮにおいてロケーションサービスを提供する方法であって、
ユーザ機器（ＵＥ）が測距ベースのロケーションサービスセッションをサポートすることを示す要求を前記ＵＥから受信することと、
前記測距ベースのロケーションサービスセッション中に前記第１のＲＡＮノードとコアネットワークとの間で前記ＵＥに関連する情報を識別するための内部識別子（ＩＤ）を受信することと、
前記ＵＥを含む複数のデバイスが関与する前記測距ベースのロケーションサービスセッションにおいて、測距動作を実行するための、前記内部ＩＤに関連する無線リソースを前記ＵＥに割り振ることと、
前記測距動作を実行するために割り振られた前記無線リソースを示す応答を前記ＵＥに送信することと
を備える方法。
【請求項２】
前記コアネットワーク内のコアネットワークエンティティに前記要求を転送することと、ここで、前記コアネットワークエンティティは、前記測距ベースのロケーションサービスセッションをサポートする前記コアネットワーク内のロケーション管理機能（ＬＭＦ）を選択するように構成される、
前記ＲＡＮによって送信された前記ＵＥのロケーション結果を識別するために前記コアネットワークエンティティによって決定された外部識別子（ＩＤ）を示すメッセージを前記ＵＥに送信することと
をさらに備える、請求項１に記載の方法。
【請求項３】
前記測距動作によって生成されたリソースベースの測距レポートを前記ＵＥから受信することと、ここで、前記リソースベースの測距レポートは、前記複数のデバイスに割り振られる無線リソースによってインデックス付けされた測距結果を備える、
前記リソースベースの測距レポートを内部ＩＤベースの測距レポートに変換することと、ここで、前記内部ＩＤベースの測距レポートは、前記複数のデバイスに関連する内部ＩＤによってインデックス付けされた前記測距結果を備える、
前記ＬＭＦに前記内部ＩＤベースの測距レポートを送信することと
をさらに備える、請求項２に記載の方法。
【請求項４】
前記ＬＭＦから前記ロケーション結果を受信することと、
前記外部ＩＤによって識別された前記ロケーション結果を前記ＵＥに送信することと
をさらに備える、請求項３に記載の方法。
【請求項５】
前記リソースベースの測距レポートを前記受信することは、
第２のＲＡＮノードにおいて前記リソースベースの測距レポートを受信することと、
前記ＵＥから前記要求を最初に受信した前記第１のＲＡＮノードに前記リソースベースの測距レポートを転送することと
を備える、請求項３に記載の方法。
【請求項６】
前記ＲＡＮに含まれる第２のＲＡＮノードにおいて、前記リソースベースの測距レポートを受信することと、
前記第２のＲＡＮノードにおいて、前記リソースベースの測距レポートを前記内部ＩＤベースの測距レポートに変換するために、前記第１のＲＡＮノードから内部ＩＤ対無線リソースマッピング情報を受信することと
をさらに備える、請求項３に記載の方法。
【請求項７】
前記測距動作によって生成されたリソースベースの測距レポートを、アイドルモードにある前記ＵＥから受信することと、ここで、前記リソースベースの測距レポートは、前記ＵＥの前記外部ＩＤを備える測位プロトコルメッセージ中にカプセル化される、
前記リソースベースの測距レポートを含む前記測位プロトコルメッセージを前記ＬＭＦに送信することと
をさらに備える、請求項２に記載の方法。
【請求項８】
前記ロケーション結果を備える測位プロトコルメッセージを前記ＬＭＦから受信することと、
前記外部ＩＤによって識別された前記ロケーション結果を前記ＵＥに送信することと
をさらに備える、請求項７に記載の方法。
【請求項９】
前記ＵＥが前記第１のＲＡＮノードから前記ＲＡＮの第２のＲＡＮノードに遷移することに応答して、内部ＩＤ更新を前記コアネットワークから受信すること
をさらに備える、請求項１に記載の方法。
【請求項１０】
前記無線リソースを割り振ることは、
第１のエリアにおいて前記測距動作を実行するための第１の無線リソースを前記ＵＥに割り振ることと、
前記第１の無線リソースを使用して決定されたロケーション結果に基づいて、前記第１のエリアより小さい第２のエリアにおいて前記測距動作を実行するための第２の無線リソースを前記ＵＥに割り振ることと
を備える、請求項１に記載の方法。
【請求項１１】
通信ネットワークにおいてユーザ機器（ＵＥ）を動作する方法であって、
前記ＵＥが測距ベースのロケーションサービスセッションをサポートすることを示す要求を無線アクセスネットワーク（ＲＡＮ）に送信することと、
前記測距ベースのロケーションサービスセッションにおいて、測距動作を実行するための無線リソースの割振りを前記ＲＡＮから受信することと、
前記ＲＡＮから外部識別子（ＩＤ）を受信することと、ここで、前記外部ＩＤは、前記測距動作に基づいて前記ＵＥのロケーション結果を識別するためにコアネットワークによって割り振られる、
前記測距ベースのロケーションサービスセッションにおいて、前記コアネットワークによって生成された前記ロケーション結果を受信することと、ここで、前記ロケーション結果は、前記ＵＥに関連する前記外部ＩＤによって識別される、
を備える方法。
【請求項１２】
測距レポートを生成するために前記測距動作を実行することと、
前記測距レポートを前記ＲＡＮに送信することと
をさらに備え、ここで、前記測距レポートは、前記測距動作に関連する到着時間（ＴＯＡ）データ、シーケンスＩＤ、または無線リソースインデックスのうちの少なくとも１つを備える、
請求項１２に記載の方法。
【請求項１３】
前記コアネットワークにおいてロケーション管理機能（ＬＭＦ）に宛てられた測位プロトコルメッセージ中に前記測距レポートをカプセル化することをさらに備え、前記ＬＭＦは、前記測距レポートに基づいて前記ロケーション結果を決定するように構成される、請求項１３に記載の方法。
【請求項１４】
前記測距レポートを前記送信することは、前記ＵＥが前記ＲＡＮとのアクティブ接続のない無線リソース制御（ＲＲＣ）アイドルモードにある間に前記測距レポートを送信することを備える、請求項１３に記載の方法。
【請求項１５】
測位プロトコルメッセージ中に前記測距レポートおよび前記外部ＩＤをカプセル化することをさらに備える、請求項１５に記載の方法。
【請求項１６】
前記ロケーション結果を前記受信することは、
前記ロケーション結果を備える前記ＵＥへの専用メッセージを受信すること、または
前記ロケーション結果を備えるブロードキャストメッセージを受信すること
を備える、請求項１２に記載の方法。
【請求項１７】
前記要求を前記ＲＡＮの第１のＲＡＮノードに送信することと、
前記ロケーション結果を前記第１のＲＡＮノードとは異なる前記ＲＡＮの第２のＲＡＮノードから受信することと
をさらに備える、請求項１２に記載の方法。
【請求項１８】
前記測距動作を実行するための無線リソースの割振りを前記第２のＲＡＮノードから受信すること
をさらに備える、請求項１８に記載の方法。
【請求項１９】
前記要求を前記ＲＡＮの第１のＲＡＮノードに送信することと、
前記第１のＲＡＮノードから前記ＲＡＮの第２のＲＡＮノードに遷移することと、
測距レポートを前記第２のＲＡＮノードに送信することと
をさらに備える、請求項１２に記載の方法。
【請求項２０】
無線アクセスネットワークの第１の無線アクセスネットワーク（ＲＡＮ）ノードであって、
ワイヤレス通信のために構成された通信インターフェースと、
メモリと、
前記通信インターフェースおよび前記メモリに動作可能に結合されたプロセッサと
を備え、
前記プロセッサおよび前記メモリは、
ユーザ機器（ＵＥ）が測距ベースのロケーションサービスセッションをサポートすることを示す要求を前記ＵＥから受信することと、
前記測距ベースのロケーションサービスセッション中に前記第１のＲＡＮノードとコアネットワークとの間で前記ＵＥに関連する情報を識別するための内部識別子（ＩＤ）を受信することと、
前記ＵＥを含む複数のデバイスが関与する前記測距ベースのロケーションサービスセッションにおいて、測距動作を実行するための、前記内部ＩＤに関連する無線リソースを前記ＵＥに割り振ることと、
前記測距動作を実行するために割り振られた前記無線リソースを示す応答を前記ＵＥに送信することと
を行うように構成される、第１のＲＡＮノード。
【請求項２１】
前記プロセッサおよび前記メモリは、
前記コアネットワーク内のコアネットワークエンティティに前記要求を転送することと、ここで、前記コアネットワークエンティティは、前記測距ベースのロケーションサービスセッションをサポートする前記コアネットワーク内のロケーション管理機能（ＬＭＦ）を選択するように構成される、
前記ＲＡＮによって送信された前記ＵＥのロケーション結果を識別するために前記コアネットワークエンティティによって決定された外部識別子（ＩＤ）を示すメッセージを前記ＵＥに送信することと
を行うようにさらに構成される、請求項２１に記載の第１のＲＡＮノード。
【請求項２２】
前記プロセッサおよび前記メモリは、
前記測距動作によって生成されたリソースベースの測距レポートを前記ＵＥから受信することと、ここで、前記リソースベースの測距レポートは、前記複数のデバイスに割り振られる無線リソースによってインデックス付けされた測距結果を備える、
前記リソースベースの測距レポートを内部ＩＤベースの測距レポートに変換することと、ここで、前記内部ＩＤベースの測距レポートは、前記複数のデバイスに関連する内部ＩＤによってインデックス付けされた前記測距結果を備える、
前記ＬＭＦに前記内部ＩＤベースの測距レポートを送信することと
を行うようにさらに構成される、請求項２２に記載の第１のＲＡＮノード。
【請求項２３】
前記プロセッサおよび前記メモリは、
前記ＬＭＦから前記ロケーション結果を受信することと、
前記外部ＩＤによって識別された前記ロケーション結果を前記ＵＥに送信することと
を行うようにさらに構成される、請求項２３に記載の第１のＲＡＮノード。
【請求項２４】
前記プロセッサおよび前記メモリは、
前記無線アクセスネットワークの第２のＲＡＮノードによって転送される前記リソースベースの測距レポートを受信する
ようにさらに構成される、請求項２３に記載の第１のＲＡＮノード。
【請求項２５】
前記プロセッサおよび前記メモリは、
前記リソースベースの測距レポートを内部ＩＤベースの測距レポートにマッピングするために、前記リソースベースの測距レポートを受信した前記第２のＲＡＮノードにマッピング情報を送信する
ようにさらに構成される、請求項２５に記載の第１のＲＡＮノード。
【請求項２６】
前記プロセッサおよび前記メモリは、
前記測距動作によって生成されたリソースベースの測距レポートを、アイドルモードにある前記ＵＥから受信することと、ここで、前記リソースベースの測距レポートは、前記ＵＥの前記外部ＩＤを備える測位プロトコルメッセージ中にカプセル化される、
前記リソースベースの測距レポートを含む前記測位プロトコルメッセージを前記ＬＭＦに送信することと
を行うようにさらに構成される、請求項２２に記載の第１のＲＡＮノード。
【請求項２７】
前記プロセッサおよび前記メモリは、
前記ロケーション結果を備える測位プロトコルメッセージを前記ＬＭＦから受信することと、
前記外部ＩＤによって識別された前記ロケーション結果を前記ＵＥに送信することと
を行うようにさらに構成される、請求項２７に記載の第１のＲＡＮノード。
【請求項２８】
前記プロセッサおよび前記メモリは、
前記ＵＥが前記第１のＲＡＮノードから前記ＲＡＮの第２のＲＡＮノードに遷移することに応答して、内部ＩＤ更新を前記コアネットワークから受信する
ようにさらに構成される、請求項２１に記載の第１のＲＡＮノード。
【請求項２９】
前記プロセッサおよび前記メモリは、
第１のエリアにおいて前記測距動作を実行するための第１の無線リソースを前記ＵＥに割り振ることと、
前記第１の無線リソースを使用して決定されたロケーション結果に基づいて、前記第１のエリアより小さい第２のエリアにおいて前記測距動作を実行するための第２の無線リソースを前記ＵＥに割り振ることと
を行うようにさらに構成される、請求項２１に記載の第１のＲＡＮノード。
【請求項３０】
通信ネットワークにおけるユーザ機器（ＵＥ）であって、
ワイヤレス通信のために構成された通信インターフェースと、
メモリと、
前記通信インターフェースおよび前記メモリに動作可能に結合されたプロセッサと
を備え、
前記プロセッサおよび前記メモリは、
前記ＵＥが測距ベースのロケーションサービスセッションをサポートすることを示す要求を無線アクセスネットワーク（ＲＡＮ）に送信することと、
前記測距ベースのロケーションサービスセッションにおいて、測距動作を実行するための無線リソースの割振りを前記ＲＡＮから受信することと、
外部識別子（ＩＤ）を前記ＲＡＮから受信することと、ここで、前記外部ＩＤは、前記測距動作に基づいて前記ＵＥのロケーション結果を識別するためにコアネットワークによって割り振られる、
前記測距ベースのロケーションサービスセッションにおいて、前記コアネットワークによって生成された前記ロケーション結果を受信することと、ここで、前記ロケーション結果は、前記ＵＥに関連する前記外部ＩＤによって識別される、
を行うように構成される、ＵＥ。
【請求項３１】
前記プロセッサおよび前記メモリは、
測距レポートを生成するために前記測距動作を実行することと、
前記測距レポートを前記ＲＡＮに送信することと
を行うようにさらに構成され、ここで、前記測距レポートは、前記測距動作に関連する到着時間（ＴＯＡ）データ、シーケンスＩＤ、または無線リソースインデックスのうちの少なくとも１つを備える、
請求項３２に記載のＵＥ。
【請求項３２】
前記プロセッサおよび前記メモリは、
前記コアネットワークにおいてロケーション管理機能（ＬＭＦ）に宛てられた測位プロトコルメッセージ中に前記測距レポートをカプセル化するようにさらに構成され、前記ＬＭＦは、前記測距レポートに基づいて前記ロケーション結果を決定するように構成される、
請求項３３に記載のＵＥ。
【請求項３３】
前記プロセッサおよび前記メモリは、
前記ＵＥが前記ＲＡＮとのアクティブ接続のない無線リソース制御（ＲＲＣ）アイドルモードにある間に前記測距レポートを送信する
ようにさらに構成される、請求項３３に記載のＵＥ。
【請求項３４】
前記プロセッサおよび前記メモリは、
測位プロトコルメッセージ中に前記測距レポートおよび前記外部ＩＤをカプセル化する
ようにさらに構成される、請求項３５に記載のＵＥ。
【請求項３５】
前記プロセッサおよび前記メモリは、
前記ロケーション結果を備える前記ＵＥへの専用メッセージを受信すること、または
前記ロケーション結果を備えるブロードキャストメッセージを受信すること
を行うようにさらに構成される、請求項３２に記載のＵＥ。
【請求項３６】
前記プロセッサおよび前記メモリは、
前記要求を前記ＲＡＮの第１のＲＡＮノードに送信することと、
前記ロケーション結果を前記第１のＲＡＮノードとは異なる前記ＲＡＮの第２のＲＡＮノードから受信することと
を行うようにさらに構成される、請求項３２に記載のＵＥ。
【請求項３７】
前記プロセッサおよび前記メモリは、
前記測距動作を実行するための無線リソースの割振りを前記第２のＲＡＮノードから受信する
ようにさらに構成される、請求項３８に記載のＵＥ。
【請求項３８】
前記プロセッサおよび前記メモリは、
前記要求を前記ＲＡＮの第１のＲＡＮノードに送信することと、
前記第１のＲＡＮノードから前記ＲＡＮの第２のＲＡＮノードに遷移することと、
測距レポートを前記第２のＲＡＮノードに送信することと
を行うようにさらに構成される、請求項３２に記載のＵＥ。
【発明の詳細な説明】
【関連出願の相互参照】
【０００１】
[0001]本出願は、２０１９年２月２６日に米国特許商標庁に出願された非仮特許出願第１６／２８６，３２６号、および２０１８年３月２日に米国特許商標庁に出願された仮特許出願第６２／６３７，９３７号の優先権および利益を主張するものであり、これらの全内容は、すべての適用可能な目的のために、そして以下に完全に記載されているかのように、参照により本明細書に組み込まれる。
【技術分野】
【０００２】
[0002]以下で説明される技術は一般に、ワイヤレス通信システムに関し、より具体的には、ワイヤレス通信システムおよび関連する通信デバイスにおける測距をサポートするロケーションサービスに関する。
【背景技術】
【０００３】
[0003]ワイヤレスネットワークは、音声およびデータ通信に加えて、様々なサービスを提供することができる。１つのそのようなサービスは、位置またはロケーションを決定するためにユーザが使用することができるロケーションサービス（ＬＣＳ）である。ＬＣＳは、ユーザ、例えば、ユーザ機器（ＵＥ）または車両のロケーションを決定するために、１つまたは複数の測位方法を利用し得る。例えば、ＬＣＳは、観測到着時間差（ＯＴＤＯＡ）法、支援型全地球的航法衛星システム（Ａ−ＧＮＳＳ）法、および／またはアップリンク到着時間差（ＵＴＤＯＡ）法を使用し得る。本開示では、測位は、一般に、無線信号を使用して、デバイスの位置、ロケーション、および／または速度を決定するプロセスを指す。
【０００４】
[0004]ワイヤレスネットワークでは、ＬＣＳは、測距ベースの測位をサポートしてインプリメントされ得る。１つのワイヤレスデバイスが別のワイヤレスデバイスと直接通信するとき、その通信は、デバイス・ツー・デバイス（Ｄ２Ｄ）通信と呼ばれ得る。特定の使用事例では、ワイヤレス通信デバイスは、ポータブルセルラデバイスのようなＵＥであり得るか、または自動車のような車両、ドローンであり得るか、または任意の他の接続デバイスであり得る。デバイスが自動車のような車両であるとき、Ｄ２Ｄ通信は、車車間（Ｖ２Ｖ）通信と呼ばれ得る。他の車両ベースの通信には、Ｖ２Ｖ、路車間（Ｖ２Ｉ）、車ネットワーク間（Ｖ２Ｎ）、および車歩行者間（Ｖ２Ｐ）を含み得るビークル・ツー・エブリシング（Ｖ２Ｘ）が含まれ得る。Ｖ２Ｘ通信および特にＶ２Ｖ通信は、衝突回避および自律運転アプリケーションのために将来ますます重要になるであろう。例えば、測距動作においてＶ２Ｘ通信を使用する車両は、車両のロケーションを決定する際にネットワークを支援することができる。
【発明の概要】
【０００５】
[0005]本開示の１つまたは複数の態様の基本的な理解を与えるために、そのような態様の簡略化された概要を以下に提示する。この概要は、本開示の意図されるすべての特徴の広範な概略ではなく、本開示のすべての態様の主要なエレメントまたは重要なエレメントを識別することも、本開示の任意のまたはすべての態様の範囲を線引きすることも意図しない。その唯一の目的は、後に提示されるより詳細な説明への前置きとして、本開示の１つまたは複数の態様のいくつかのコンセプトを、簡略化された形式で提示することである。
【０００６】
[0006]本開示の態様は、ワイヤレス通信における測距ベースのロケーションサービス（ＬＣＳ）をサポートするネットワークアーキテクチャに関する。
【０００７】
[0007]本開示の一態様は、第１の無線アクセスネットワーク（ＲＡＮ）ノードを含むＲＡＮにおいてロケーションサービスを提供する方法を提供する。第１のＲＡＮノードは、ワイヤレス通信のために構成された通信インターフェースと、メモリと、これらの通信インターフェースおよびメモリに動作可能に結合されたプロセッサとを含み得る。プロセッサおよびメモリは、測距ベースの測位および関連するロケーションサービスを実行するように構成され得る。第１のＲＡＮノードは、ユーザ機器（ＵＥ）から登録要求を受信し、登録要求は、ＵＥが測距ベースのロケーションサービスセッションをサポートすることを示す。第１のＲＡＮノードは、測距ベースのロケーションサービスセッション中に第１のＲＡＮノードとコアネットワークとの間でＵＥに関連する情報を識別するための内部識別子（ＩＤ）を受信する。第１のＲＡＮノードは、ＵＥを含む複数のデバイスが関与する（involving）測距ベースのロケーションサービスセッションにおいて、測距動作を実行するための、内部ＩＤに関連する無線リソースをＵＥに割り振る。第１のＲＡＮノードは、測距動作を実行するための割り振られた無線リソースを示す登録応答をＵＥに送信する。
【０００８】
[0008]本開示の別の態様は、通信ネットワークにおいてユーザ機器（ＵＥ）を動作する方法を提供する。ＵＥは、ワイヤレス通信のために構成された通信インターフェースと、メモリと、これらの通信インターフェースおよびメモリに動作可能に結合されたプロセッサとを含み得る。プロセッサおよびメモリは、測距ベースの測位および関連するロケーションサービスを実行するように構成され得る。ＵＥは、無線アクセスネットワーク（ＲＡＮ）に登録要求を送信し、この登録要求は、ＵＥが測距ベースのロケーションサービスセッションをサポートすることを示す。ＵＥは、測距動作を実行するための無線リソースの割振りと、測距動作に基づいてＵＥのロケーション結果を識別するためにコアネットワークによって割り振られた外部識別子（ＩＤ）とをＲＡＮから受信する。ＵＥは、測距ベースのロケーションサービスセッションにおいて、コアネットワークによって生成されたロケーション結果を受信し、ロケーション結果は、ＵＥに関連する外部ＩＤによって識別される。
【０００９】
[0009]本発明のこれらの態様および他の態様は、次に続く詳細な説明の検討を受けて、より十分に理解されるであろう。本発明の他の態様、特徴、および実施形態は、本発明の特定の例示的な実施形態の以下の説明を添付の図と併せて検討することを受けて、当業者に明らかになるであろう。本発明の特徴は、以下の特定の実施形態および図に関して説明され得るが、本発明のすべての実施形態は、本明細書で説明される有利な特徴のうちの１つまたは複数を含むことができる。換言すると、１つまたは複数の実施形態は、特定の有利な特徴を有するものとして説明され得るが、そのような特徴のうちの１つまたは複数はまた、本明細書で説明される発明の様々な実施形態にしたがって使用され得る。同様に、例示的な実施形態は、デバイス、システム、または方法の実施形態として以下で説明され得るが、そのような例示的な実施形態が様々なデバイス、システム、および方法でインプリメントされ得ることは理解されるべきである。
【図面の簡単な説明】
【００１０】
【図１】[0010]図１は、ワイヤレス通信システムの略図である。
【００１１】
【図２】[0011]図２は、無線アクセスネットワークの例の概念図である。
【００１２】
【図３】[0012]図３は、本開示のいくつかの態様による、ロケーションサービスをサポートするネットワークアーキテクチャを例示するブロック図である。
【００１３】
【図４】[0013]図４は、本開示のいくつかの態様による、サービスベースのインターフェース表現を使用するロケーションサービスのためのアーキテクチャサポートを例示する図である。
【００１４】
【図５】[0014]図５は、本開示のいくつかの態様による、スケジューリングエンティティ（scheduling entity）のためのハードウェアインプリメンテーションの例を概念的に例示するブロック図である。
【００１５】
【図６】[0015]図６は、本開示のいくつかの態様による、被スケジューリングエンティティ（scheduled entity）のためのハードウェアインプリメンテーションの例を概念的に例示するブロック図である。
【００１６】
【図７】[0016]図７は、本開示のいくつかの態様による、ワイヤレス通信ネットワークにおけるロケーションサービスサーバのユーザ機器登録および選択のシグナリングプロセスを例示する図である。
【００１７】
【図８】[0017]図８は、本開示のいくつかの態様による、アクティブモードにあるユーザ機器との測距ベースのロケーションサービスのシグナリングプロセスを例示する図である。
【００１８】
【図９】[0018]図９は、本開示のいくつかの態様による、非アクティブモードにあるユーザ機器との測距ベースのロケーションサービスの別のシグナリングプロセスを例示する図である。
【００１９】
【図１０】[0019]図１０は、本開示のいくつかの態様による、アイドルモードにあるユーザ機器との測距ベースのロケーションサービスの別のシグナリングプロセスを例示する図である。
【００２０】
【図１１】[0020]図１１は、本開示のいくつかの態様による、測距無線リソースを割り振るためのプロセスを例示するフローチャートである。
【００２１】
【図１２】[0021]図１２は、本開示のいくつかの態様による、測距ベースのロケーションサービスセッションのための例示的なプロセスを例示するフローチャートである。
【００２２】
【図１３】[0022]図１３は、本開示のいくつかの態様による、測距ベースのロケーションサービスセッションのための別の例示的なプロセスを例示するフローチャートである。
【詳細な説明】
【００２３】
[0023]添付の図面に関連して以下に示される詳細な説明は、様々な構成の説明として意図されるものであり、本明細書で説明されるコンセプトが実施され得る唯一の構成を表すよう意図されるものではない。詳細な説明は、様々なコンセプトの完全な理解を与えるために特定の詳細を含む。しかしながら、これらのコンセプトがこれらの特定の詳細なしに実施され得ることは、当業者に明らかになるであろう。いくつかの事例では、そのようなコンセプトを曖昧にしないために、周知の構造および構成要素はブロック図の形式で示される。
【００２４】
[0024]態様および実施形態は、本出願では、いくつかの例への例示によって説明されるが、当業者は、追加のインプリメンテーションおよび使用事例が、多くの異なる配置およびシナリオにおいて生じ得ることを理解するであろう。本明細書で説明される発明は、多くの異なるプラットフォームタイプ、デバイス、システム、形状、サイズ、パッケージング配置にわたってインプリメントされ得る。例えば、実施形態および／または使用は、集積チップ実施形態および他の非モジュール構成要素ベースのデバイス（例えば、エンドユーザデバイス、車両、通信デバイス、コンピューティングデバイス、産業機器、小売／購買デバイス、医療デバイス、ＡＩ対応デバイス、等）を介して行われ得る。いくつかの例は、使用事例またはアプリケーションを明確に対象とすることもそれらを対象としないこともあるが、説明される発明の適用性の幅広い類別が発生し得る。インプリメンテーションは、チップレベルまたはモジュール式の構成要素から、非モジュール式で非チップレベルのインプリメンテーションまで、さらには、説明される発明の１つまたは複数の態様を組み込むアグリゲート、分散、またはＯＥＭデバイスまたはシステムまで、スペクトルに及び得る。いくつかの実用的な設定では、説明される態様および特徴を組み込むデバイスはまた、特許請求され、説明される実施形態のインプリメンテーションおよび実施のための追加の構成要素および特徴を必然的に含み得る。例えば、ワイヤレス信号の送信および受信は、必然的に、アナログおよびデジタル目的のためのいくつかの構成要素（例えば、アンテナ、ＲＦチェーン、電力増幅器、変調器、バッファ、プロセッサ、インターリーバ、加算器（adder）／加算器（summer）、等を含むハードウェア構成要素）を含む。本明細書で説明される発明が、様々なサイズ、形状、および構成の多種多様なデバイス、チップレベルの構成要素、システム、分散配置、エンドユーザデバイス、等において実施され得ることは意図される。
【００２５】
[0025]本開示は、測距ベースのロケーションサービス（ＬＣＳ）をサポートするネットワークアーキテクチャを説明する。ユーザ機器（ＵＥ）がネットワークに登録するとき、ＵＥは、測距ベースのＬＣＳのサポートを示すことができる。無線アクセスネットワーク（ＲＡＮ）ノードは、登録要求を受信し、ＵＥが測距ベースのロケーションサービスセッションをサポートすることをコアネットワークに示す。ネットワークは、測距ベースのロケーションサービスセッション中にＲＡＮノードとコアネットワークとの間の通信においてＵＥに関連する情報を識別するための内部識別子（ＩＤ）と、ＵＥにロケーション結果を返送するための、ＵＥに関連する外部ＩＤとを使用する。
【００２６】
[0026]本開示全体にわたって提示される様々なコンセプトは、多種多様な電気通信システム、ネットワークアーキテクチャ、および通信規格にわたってインプリメントされ得る。ここで図１を参照すると、限定ではなく実例となる例として、本開示の様々な態様は、ワイヤレス通信システム１００を参照して例示される。ワイヤレス通信システム１００は、コアネットワーク１０２、無線アクセスネットワーク（ＲＡＮ）１０４、およびユーザ機器（ＵＥ）１０６という３つの相互作用ドメインを含む。ワイヤレス通信システム１００によって、ＵＥ１０６は、インターネットのような（しかしそれに限定されない）外部データネットワーク１１０とのデータ通信を実行することが可能になり得る。
【００２７】
[0027]ＲＡＮ１０４は、ＵＥ１０６への無線アクセスを提供するために、１つまたは複数の任意の適切なワイヤレス通信技術をインプリメントし得る。一例として、ＲＡＮ１０４は、５Ｇと呼ばれることがある、第３世代パートナーシッププロジェクト（３ＧＰＰ（登録商標））の新無線（ＮＲ）仕様にしたがって動作し得る。別の例として、ＲＡＮ１０４は、５Ｇ ＮＲと、ＬＴＥ（登録商標）と呼ばれることがある発展型ユニバーサル地上無線アクセスネットワーク（ｅＵＴＲＡＮ）規格とのハイブリッド下で動作し得る。３ＧＰＰは、このハイブリッドＲＡＮを次世代ＲＡＮ（ＮＧ−ＲＡＮ）と呼ぶ。当然ながら、多くの他の例が、本開示の範囲内で利用され得る。
【００２８】
[0028]例示されるように、ＲＡＮ１０４は、複数の基地局１０８を含む。概して、基地局は、ＵＥへのまたはＵＥからの、１つまたは複数のセルにおける無線送信および受信を担う無線アクセスネットワークにおけるネットワークエレメントである。異なる技術、規格、またはコンテキストでは、基地局は、当業者によって、トランシーバ基地局（ＢＴＳ）、無線基地局、無線トランシーバ、トランシーバ機能、基本サービスセット（ＢＳＳ）、拡張サービスセット（ＥＳＳ）、アクセスポイント（ＡＰ）、ノードＢ（ＮＢ）、ｅノードＢ（ｅＮＢ）、ｇノードＢ（ｇＮＢ）、または何らかの他の適切な用語で様々に呼ばれ得る。
【００２９】
[0029]複数のモバイル装置のためのワイヤレス通信をサポートする無線アクセスネットワーク１０４がさらに例示される。モバイル装置は、３ＧＰＰ規格ではユーザ機器（ＵＥ）と呼ばれ得るが、当業者によって、移動局（ＭＳ）、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末（ＡＴ）、モバイル端末、ワイヤレス端末、リモート端末、ハンドセット、端末、ユーザエージェント、モバイルクライアント、クライアント、または何らかの他の適切な用語でも呼ばれ得る。ＵＥは、ネットワークサービスへのアクセスをユーザに提供する装置、車両、または車両の構成要素であり得る。
【００３０】
[0030]本文書内では、「モバイル」装置は、必ずしも移動する能力を有する必要はなく、静止している可能性がある。モバイル装置またはモバイルデバイスという用語は、デバイスおよび技術の多様なアレイを広く指す。ＵＥは、通信に役立つようにサイズ決定、成形、および配置された、いくつかのハードウェア構造構成要素を含み得、そのような構成要素は、互いに電気的に結合されたアンテナ、アンテナアレイ、ＲＦチェーン、増幅器、１つまたは複数のプロセッサ、等を含むことができる。例えば、モバイル装置のいくつかの非限定的な例には、モバイル、セルラ（携帯）電話、スマートフォン、セッション開始プロトコル（ＳＩＰ）電話、ラップトップ、パーソナルコンピュータ（ＰＣ）、ノートブック、ネットブック、スマートブック、タブレット、携帯情報端末（ＰＤＡ）、および、例えば、「モノのインターネット」（ＩｏＴ）に対応する幅広い組込みシステムが含まれる。モバイル装置は、追加的に、自動車または他の運搬車両、リモートセンサまたはアクチュエータ、ロボットまたはロボティクスデバイス、衛星ラジオ、全地球航法衛星システム（ＧＮＳＳ）デバイス、オブジェクト追跡デバイス、ドローン、マルチコプタ、クアッドコプタ、リモート制御デバイス、アイウェア、ウェアラブルカメラ、仮想現実デバイス、スマートウォッチ、ヘルスまたはフィットネストラッカ、デジタルオーディオプレーヤ（例えば、ＭＰ３プレーヤ）、カメラ、ゲームコンソール、等のような消費者および／またはウェアラブルデバイスであり得る。モバイル装置は、追加的に、ホームオーディオ、ビデオ、および／またはマルチメディアデバイスのようなデジタルホームまたはスマートホームデバイス、電化製品、自動販売機、インテリジェント照明、ホームセキュリティシステム、スマートメータ、等であり得る。モバイル装置は、追加的に、スマートエネルギデバイス、セキュリティデバイス、ソーラーパネルまたはソーラーアレイ、電力（例えば、スマートグリッド）、照明、水、等を制御する自治体インフラストラクチャデバイス、工業オートメーションおよびエンタープライズデバイス、ロジスティクスコントローラ、農業機器、軍事防衛装備、車両、航空機、船舶、および兵器、等であり得る。さらに、モバイル装置は、コネクティッドメディスン（connected medicine）または遠隔診療サポート、例えば、遠方でのヘルスケア、を提供し得る。遠隔医療デバイス（telehealth device）は、遠隔医療監視デバイスおよび遠隔医療管理デバイスを含み得、その通信は、例えば、重要なサービスデータのトランスポートのための優先アクセス、および／または重要なサービスデータの移送のための関連するＱｏＳに関して、他のタイプの情報よりも優遇された措置または優先されたアクセスが与えられ得る。
【００３１】
[0031]ＲＡＮ１０４とＵＥ１０６との間のワイヤレス通信は、エアインターフェースを利用して説明され得る。基地局（例えば、基地局１０８）から１つまたは複数のＵＥ（例えば、ＵＥ１０６）へのエアインターフェースを介した送信は、ダウンリンク（ＤＬ）送信と呼ばれ得る。本開示の特定の態様によれば、ダウンリンクという用語は、スケジューリングエンティティ（以下でさらに説明される、例えば、基地局１０８）において発生するポイント・ツー・マルチポイント送信を指し得る。この方式を説明する別の方法は、ブロードキャストチャネル多重化という用語を使用することであり得る。ＵＥ（例えば、ＵＥ１０６）から基地局（例えば、基地局１０８）への送信は、アップリンク（ＵＬ）送信と呼ばれ得る。本開示のさらなる態様によれば、アップリンクという用語は、被スケジューリングエンティティ（以下でさらに説明される、例えば、ＵＥ１０６）において発生するポイント・ツー・ポイント送信を指し得る。
【００３２】
[0032]いくつかの例では、エアインターフェースへのアクセスがスケジューリングされ得、スケジューリングエンティティ（例えば、基地局１０８）は、そのサービスエリアまたはセル内のいくつかまたはすべてのデバイスおよび機器の間の通信のためのリソースを割り振る。本開示内では、以下でさらに説明するように、スケジューリングエンティティは、１つまたは複数の被スケジューリングエンティティのためのリソースをスケジューリングし、割り振り、再構成し、解放することを担い得る。すなわち、スケジューリングされた通信の場合、被スケジューリングエンティティであり得るＵＥ１０６は、スケジューリングエンティティ１０８によって割り振られたリソースを利用し得る。
【００３３】
[0033]基地局１０８は、スケジューリングエンティティとして機能し得る唯一のエンティティではない。すなわち、いくつかの例では、ＵＥは、１つまたは複数の被スケジューリングエンティティ（例えば、１つまたは複数の他のＵＥ）のためのリソースをスケジューリングするスケジューリングエンティティとして機能し得る。
【００３４】
[0034]図１に例示されるように、スケジューリングエンティティ１０８は、ダウンリンクトラフィック１１２を１つまたは複数の被スケジューリングエンティティ１０６にブロードキャストし得る。概して、スケジューリングエンティティ１０８は、ダウンリンクトラフィック１１２と、いくつかの例では、１つまたは複数のスケジューリングされるエンティティ１０６からスケジューリングエンティティ１０８へのアップリンクトラフィック１１６とを含む、ワイヤレス通信ネットワークにおけるトラフィックをスケジューリングすることを担うノードまたはデバイスである。他方では、被スケジューリングエンティティ１０６は、スケジューリング情報（例えば、許可）、同期もしくはタイミング情報、またはスケジューリングエンティティ１０８のようなワイヤレス通信ネットワーク内の別のエンティティからの他の制御情報を含むがこれらに限定されないダウンリンク制御情報１１４を受信するノードまたはデバイスである。
【００３５】
[0035]一般に、基地局１０８は、ワイヤレス通信システムのバックホール部分１２０との通信のためのバックホールインターフェースを含み得る。バックホール１２０は、基地局１０８とコアネットワーク１０２との間のリンクを提供し得る。さらに、いくつかの例では、バックホールネットワークは、それぞれの基地局１０８間の相互接続を提供し得る。直接的な物理接続、仮想ネットワーク、または任意の適切な転送ネットワークを使用する同様のもののような、様々なタイプのバックホールインターフェースが用いられ得る。
【００３６】
[0036]コアネットワーク１０２は、ワイヤレス通信システム１００の一部であり得、ＲＡＮ１０４において使用される無線アクセス技術から独立しているであろう。いくつかの例では、コアネットワーク１０２は、５Ｇ規格（例えば、５ＧＣ）にしたがって構成され得る。他の例では、コアネットワーク１０２は、４Ｇ発展型パケットコア（ＥＰＣ）、または任意の他の適切な規格もしくは構成にしたがって構成され得る。
【００３７】
[0037]図２は、無線アクセスネットワーク２００（ＲＡＮ）の例の概念図である。いくつかの例では、ＲＡＮ２００は、上で説明され、図１に例示されたＲＡＮ１０４と同じであり得る。ＲＡＮ２００によってカバーされる地理的エリアは、１つのアクセスポイントまたは基地局からブロードキャストされる識別情報に基づいてユーザ機器（ＵＥ）によって一意に識別され得るセルラ領域（セル）に分割され得る。図２は、マクロセル２０２、２０４、および２０６と、スモールセル２０８とを例示し、それらの各々は、１つまたは複数のセクタ（図示せず）またはゾーンを含み得る。セクタは、セルのサブエリアである。１つのセル内のすべてのセクタは、同じ基地局によってサービス提供される。セクタ内の無線リンクは、そのセクタに属する単一の論理的な識別情報によって識別されることができる。セクタに分割されるセルでは、セル内の複数のセクタは、各アンテナがセルの一部分におけるＵＥとの通信を担うアンテナのグループによって形成され得る。
【００３８】
[0038]図２では、２つの基地局２１０および２１２は、セル２０２および２０４内に示され、第３の基地局２１４は、セル２０６内のリモート無線ヘッド（ＲＲＨ）２１６を制御するように示されている。すなわち、基地局は、統合アンテナを有することができるか、またはフィーダケーブルによってアンテナまたはＲＲＨに接続されることができる。例示される例では、セル２０２、２０４、および１２６は、基地局２１０、２１２、および２１４が大きいサイズを有するセルをサポートするため、マクロセルと呼ばれ得る。さらに、基地局２１８は、１つまたは複数のマクロセルと重複し得るスモールセル２０８（例えば、マイクロセル、ピコセル、フェムトセル、ホーム基地局、ホームノードＢ、ホームｅノードＢ、等）内に示されている。この例では、セル２０８は、基地局２１８が比較的小さいサイズを有するセルをサポートするため、スモールセルと呼ばれ得る。セルのサイズ決定は、システム設計および構成要素の制約にしたがって行われ得る。
【００３９】
[0039]無線アクセスネットワーク２００が任意の数のワイヤレス基地局およびセルを含み得ることは理解されたい。さらに、リレーノードは、所与のセルのサイズまたはカバレージエリアを拡張するために展開され得る。基地局２１０、２１２、２１４、２１８は、コアネットワークへのワイヤレスアクセスポイントを任意の数のモバイル装置に提供する。いくつかの例では、基地局２１０、２１２、２１４、および／または２１８は、上で説明され、図１に例示された基地局／スケジューリングエンティティ１０８と同じであり得る。
【００４０】
[0040]図２は、基地局として機能するように構成され得るクアッドコプタまたはドローン２２０をさらに含む。すなわち、いくつかの例では、セルは必ずしも静止しているとは限らず、セルの地理的エリアは、クアッドコプタ２２０のようなモバイル基地局のロケーションにしたがって移動し得る。
【００４１】
[0041]ＲＡＮ２００内で、セルは、各セルの１つまたは複数のセクタと通信状態にあり得るＵＥを含み得る。さらに、各基地局２１０、２１２、２１４、２１８、および２２０は、コアネットワーク１０２（図１参照）へのアクセスポイントをそれぞれのセル内のすべてのＵＥに提供するように構成され得る。例えば、ＵＥ２２２および２２４は、基地局２１０と通信状態にあり得得、ＵＥ２２６および２２８は、基地局２１２と通信状態にあり得、ＵＥ２３０および２３２は、ＲＲＨ２１６によって基地局２１４と通信状態にあり得、ＵＥ２３４は、基地局２１８と通信状態にあり得、ＵＥ２３６は、モバイル基地局２２０と通信状態にあり得る。いくつかの例では、ＵＥ２２２、２２４、２２６、２２８、２３０、２３２、２３４、２３６、２３８、２４０、および／または２４２は、上で説明され、図１に例示されたＵＥ／被スケジューリングエンティティ１０６と同じであり得る。
【００４２】
[0042]いくつかの例では、モバイルネットワークノード（例えば、クアッドコプタ２２０）は、ＵＥとして機能するように構成され得る。例えば、クアッドコプタ２２０は、基地局２１０と通信することによってセル２０２内で動作し得る。
【００４３】
[0043]ＲＡＮ２００のさらなる態様では、サイドリンク信号は、基地局からのスケジューリングまたは制御情報に必ずしも依存することなく、ＵＥ間で使用され得る。例えば、２つ以上のＵＥ（例えば、ＵＥ２２６および２２８）は、基地局（例えば、基地局２１２）を通してその通信を中継することなく、ピア・ツー・ピア（Ｐ２Ｐ）、デバイス・ツー・デバイス（Ｄ２Ｄ）、車車間（Ｖ２Ｖ）、ビークル・ツー・エブリシング（Ｖ２Ｘ）、またはサイドリンク信号２２７を使用して互いに通信し得る。さらなる例では、ＵＥ２３８は、ＵＥ２４０および２４２と通信して例示される。ここで、ＵＥ２３８は、スケジューリングエンティティまたはプライマリサイドリンクデバイスとして機能し得、ＵＥ２４０および２４２は、被スケジューリングエンティティまたは非プライマリ（例えば、セカンダリ）サイドリンクデバイスとして機能し得る。さらに別の例では、ＵＥは、Ｄ２Ｄ、Ｐ２Ｐ、Ｖ２Ｘ、もしくはＶ２Ｖネットワークにおいておよび／またはメッシュネットワークにおいて、スケジューリングエンティティとして機能し得る。メッシュネットワークの例では、ＵＥ２４０および２４２は、オプションで、スケジューリングエンティティ２３８と通信することに加えて、互いに直接通信し得る。ゆえに、時間周波数リソースへのスケジューリングされたアクセスを有し、セルラ構成、Ｐ２Ｐ／Ｄ２Ｄ／Ｖ２Ｘ／Ｖ２Ｖ構成、またはメッシュ構成を有するワイヤレス通信システムでは、スケジューリングエンティティおよび１つまたは複数の被スケジューリングエンティティは、スケジューリングされたリソースを利用して通信し得る。
【００４４】
[0044]無線アクセスネットワーク２００において、ＵＥが移動しながらそのロケーションから独立して通信する能力は、モビリティと呼ばれる。ＵＥと無線アクセスネットワークとの間の様々な物理チャネルは、一般に、制御プレーンおよびユーザプレーン機能性の両方についてセキュリティコンテキストを管理するセキュリティコンテキスト管理機能（ＳＣＭＦ）と、認証を実行するセキュリティアンカ機能（ＳＥＡＦ）とを含み得る、アクセスおよびモビリティ管理機能（ＡＭＦ、図２に例示されない、図１のコアネットワーク１０２の一部）の制御下でセットアップ、維持、および解放される。ＡＭＦは、コアネットワークエンティティの例である。
【００４５】
[0045]基地局２１０、２１２、および２１４／２１６によって送信される同期信号は統合され得るが、同期信号は、特定のセルを識別するのではなく、むしろ、同じ周波数上でおよび／または同じタイミングで動作する複数のセルのゾーンを識別し得る。５Ｇネットワークまたは他の次世代通信ネットワークにおけるゾーンの使用は、アップリンクベースのモビリティフレームワークを可能にし、ＵＥとネットワークとの間で交換される必要があるモビリティメッセージの数が低減され得るため、ＵＥおよびネットワークの両方の効率を改善する。
【００４６】
[0046]様々なインプリメンテーションでは、無線アクセスネットワーク２００におけるエアインターフェースは、ライセンススペクトル、アンライセンススペクトル、または共有スペクトルを利用し得る。ライセンススペクトルは、一般に、モバイルネットワーク事業者が政府規制機関からライセンスを購入することによって、スペクトルの一部分の排他的使用を提供する。アンライセンススペクトルは、政府が付与するライセンスを必要とせずにスペクトルの一部分の共有使用を提供する。一般に、アンライセンススペクトルにアクセスするためにはいくつかの技術的な規則の順守が必要とされるが、大抵、どのような事業者またはデバイスでもアクセスを獲得することができる。共有スペクトルは、ライセンススペクトルとアンライセンススペクトルとの中間に位置し得、ここにおいて、スペクトルにアクセスするためには技術的な規則または制限が必要とされ得るが、このスペクトルは、依然として、複数の事業者および／または複数のＲＡＴによって共有され得る。例えば、ライセンススペクトルの一部分に対するライセンスの保有者は、ライセンス共有アクセス（ＬＳＡ）を提供して、例えば、アクセスを得るために適切なライセンシーが決定した条件で、そのスペクトルを他の当事者と共有し得る。
【００４７】
[0047]無線アクセスネットワーク２００におけるエアインターフェースは、１つまたは複数の二重化アルゴリズムを利用し得る。二重（duplex）とは、両方のエンドポイントが両方向に互いに通信することができるポイント・ツー・ポイント通信リンクを指す。全二重とは、両方のエンドポイントが互いに同時に通信できることを意味する。半二重とは、一度に一方のエンドポイントのみが他方に情報を送ることができることを意味する。ワイヤレスリンクでは、全二重チャネルは、一般に、送信機および受信機の物理的分離と、適切な干渉除去技術とに依拠する。全二重エミュレーションは、周波数分割複信（ＦＤＤ）または時分割複信（ＴＤＤ）を利用することによって、ワイヤレスリンクのために頻繁にインプリメントされる。ＦＤＤでは、異なる方向の送信は、異なるキャリア周波数で動作する。ＴＤＤでは、所与のチャネル上の異なる方向の送信は、時分割多重化を使用して互いに分離される。すなわち、ある時は、チャネルは、ある方向の送信専用であり、ある時は、チャネルは、他の方向の送信専用であり、ここで、方向は、非常に迅速に、例えば、１スロットあたり数回、変化し得る。
【００４８】
[0048]無線アクセスネットワーク２００上の送信が、依然として非常に高いデータレートを達成しつつ低いブロック誤り率（ＢＬＥＲ）を得るために、チャネルコーディングが使用され得る。すなわち、ワイヤレス通信は、一般に、適切な誤り訂正ブロックコードを利用し得る。典型的なブロックコードでは、情報メッセージまたはシーケンスは、コードブロック（ＣＢ）に分割され、次いで、送信デバイスにおける符号器（例えば、コーデック）が、この情報メッセージに冗長性を数学的に追加する。符号化された情報メッセージにおけるこの冗長性の利用（exploitation）は、メッセージの信頼性を高めることができ、これは、ノイズに起因して発生し得る任意のビット誤りの訂正を可能にする。
【００４９】
[0049]５Ｇ ＮＲ仕様では、ユーザデータは、一方の基本グラフが大きいコードブロックおよび／または高いコードレートに使用され、他方の基本グラフがそれ以外の場合に使用される２つの異なる基本グラフを有する準巡回低密度パリティチェック（ＬＤＰＣ）を使用してコーディングされ得る。制御情報および物理ブロードキャストチャネル（ＰＢＣＨ）は、ネストされたシーケンスに基づいて、ポーラコーディング（Polar coding）を使用してコーディングされ得る。これらのチャネルについて、レートマッチングのためにパンクチャリング、短縮、および反復が使用される。
【００５０】
[0050]しかしながら、当業者であれば、本開示の態様が任意の適切なチャネルコードを利用してインプリメントされ得ることを理解するであろう。スケジューリングエンティティ１０８および被スケジューリングエンティティエンティティ１０６の様々なインプリメンテーションは、ワイヤレス通信のためのこれらのチャネルコードのうちの１つまたは複数を利用するために適切なハードウェアおよび能力（例えば、符号器、復号器、および／またはコーデック）を含み得る。
【００５１】
[0051]無線アクセスネットワーク２００におけるエアインターフェースは、様々なデバイスの同時通信を可能にするために、１つまたは複数の多重化および多元接続アルゴリズムを利用し得る。例えば、５Ｇ ＮＲ仕様は、サイクリックプレフィックス（ＣＰ）を有する直交周波数分割多重化（ＯＦＤＭ）を利用して、ＵＥ２２２および２２４から基地局２１０へのＵＬ送信のための多元接続と、基地局２１０から１つまたは複数のＵＥ２２２および２２４へのＤＬ送信のための多重化とを提供する。加えて、ＵＬ送信の場合、５Ｇ ＮＲ仕様は、ＣＰを有する離散フーリエ変換拡散ＯＦＤＭ（ＤＦＴ−ｓ−ＯＦＤＭ）（シングルキャリアＦＤＭＡ（ＳＣ−ＦＤＭＡ）とも呼ばれる）へのサポートを提供する。しかしながら、本開示の範囲内で、多重化および多元接続は、上の方式に限定されず、時分割多元接続（ＴＤＭＡ）、符号分割多元接続（ＣＤＭＡ）、周波数分割多元接続（ＦＤＭＡ）、スパース符号多元接続（ＳＣＭＡ）、リソース拡散多元接続（ＲＳＭＡ）、または他の適切な多元接続方式を利用して提供され得る。さらに、基地局２１０からＵＥ２２２および２２４へのＤＬ送信を多重化することは、時分割多重化（ＴＤＭ）、符号分割多重化（ＣＤＭ）、周波数分割多重化（ＦＤＭ）、直交周波数分割多重化（ＯＦＤＭ）、スパース符号多重化（ＳＣＭ）、または他の適切な多重化方式を利用して提供され得る。
【００５２】
[0052]ダウンリンク（ＤＬ）送信では、送信デバイス（例えば、スケジューリングエンティティ１０８）は、物理ブロードキャストチャネル（ＰＢＣＨ）、物理ダウンリンク制御チャネル（ＰＤＣＣＨ）、等のような上位レイヤから生じる情報を一般に搬送する１つまたは複数のＤＬ制御チャネルを含むＤＬ制御情報１１４を搬送するために時間周波数リソース（例えば、１つまたは複数のリソースエレメント（ＲＥ））を、１つまたは複数の被スケジューリングエンティティ１０６に割り振り得る。加えて、ＤＬ ＲＥは、一般に上位レイヤから生じる情報を搬送しないＤＬ物理信号を搬送するために割り振られ得る。これらのＤＬ物理信号は、プライマリ同期信号（ＰＳＳ）、セカンダリ同期信号（ＳＳＳ）、復調基準信号（ＤＭ−ＲＳ）、位相追跡基準信号（ＰＴ−ＲＳ）、チャネル状態情報基準信号（ＣＳＩ−ＲＳ）、等を含み得る。
【００５３】
[0053]同期信号ＰＳＳおよびＳＳＳ（総称してＳＳと呼ばれる）、ならびに、いくつかの例では、ＰＢＣＨは、０から３に昇順で時間インデックスを介して番号付けされた４つの連続するＯＦＤＭシンボルを含むＳＳブロック中で送信され得る。周波数領域では、ＳＳブロックは、２４０個の連続するサブキャリアに及び得、このサブキャリアは、０から２３９に昇順に周波数インデックスを介して番号付けされる。当然ながら、本開示は、この特定のＳＳブロック構成に限定されない。他の非限定的な例は、本開示の範囲内で、２つより多いまたは少ない数の同期信号を利用し得、ＰＢＣＨに加えて１つまたは複数の補足チャネルを含み得、ＰＢＣＨを省略し得、および／またはＳＳブロックのための非連続シンボルを利用し得る。
【００５４】
[0054]ＰＤＣＣＨは、セル内の１つまたは複数のＵＥのためにダウンリンク制御情報（ＤＣＩ）を搬送し得る。これには、電力制御コマンド、スケジューリング情報、許可、および／またはＤＬおよびＵＬ送信のためのＲＥの割当てが含まれ得るがそれらに限定されない。
【００５５】
[0055]アップリンク（ＵＬ）送信では、送信デバイス（例えば、被スケジューリングエンティティ１０６）は、ＵＬ制御情報１１８（ＵＣＩ）を搬送するために時間周波数リソース（例えば、１つまたは複数のＲＥ）を利用し得る。ＵＣＩは、スケジューリングエンティティ１０８への物理アップリンク制御チャネル（ＰＵＣＣＨ）、物理ランダムアクセスチャネル（ＰＲＡＣＨ）、等のような１つまたは複数のＵＬ制御チャネルを介して上位レイヤから生じ得る。さらに、ＵＬ ＲＥは、復調基準信号（ＤＭ−ＲＳ）、位相追跡基準信号（ＰＴ−ＲＳ）、サウンディング基準信号（ＳＲＳ）、等のような、上位レイヤから生じる情報を一般には搬送しないＵＬ物理信号を搬送し得る。いくつかの例では、制御情報１１８は、スケジューリング要求（ＳＲ）、すなわち、アップリンク送信をスケジューリングするようスケジューリングエンティティ１０８に求める要求、を含み得る。ここで、制御チャネル１１８上で送信されたＳＲに応答して、スケジューリングエンティティ１０８は、アップリンクパケット送信のためのリソースをスケジューリングし得るダウンリンク制御情報１１４を送信し得る。
【００５６】
[0056]ＵＬ制御情報はまた、肯定応答（ＡＣＫ）または否定応答（ＮＡＣＫ）のようなハイブリッド自動再送要求（ＨＡＲＱ）フィードバック、チャネル状態情報（ＣＳＩ）、または任意の他の適切なＵＬ制御情報を含み得る。ＨＡＲＱは、当業者に周知の技法であり、ここにおいて、パケット送信の完全性は、例えば、チェックサムまたは周期的冗長検査（ＣＲＣ）のような任意の適切な完全性チェックメカニズムを利用して、精度が受信側でチェックされ得る。送信の完全性が確認されると、ＡＣＫが送信され得るのに対して、確認されなかいと、ＮＡＣＫが送信され得る。ＮＡＣＫに応答して、送信デバイスは、チェイス合成（chase combining）、増分冗長性、等をインプリメントし得るＨＡＲＱ再送を送り得る。
【００５７】
[0057]制御情報に加えて、時間周波数リソースが、ＵＬおよび／またはＤＬユーザデータまたはトラフィックデータのために割り振られ得る。そのようなトラフィックは、１つまたは複数のトラフィックチャネル、例えば、ＤＬ送信の場合は、物理ダウンリンク共有チャネル（ＰＤＳＣＨ）、またはＵＬ送信の場合は、物理アップリンク共有チャネル（ＰＵＳＣＨ）、上で搬送され得る。いくつかの例では、特定の時間周波数リソースは、所与のセルへのアクセスを可能にし得る情報を搬送するシステム情報ブロック（ＳＩＢ）を搬送するように構成され得る。いくつかの例では、特定の時間周波数リソースが、Ｐ２Ｐ、Ｄ２Ｄ、Ｖ２Ｖ、および／またはＶ２Ｘトラフィックのために割り振られ得る。
【００５８】
[0058]上で説明されたチャネルまたはキャリアは、必ずしも、スケジューリングエンティティ１０８と被スケジューリングエンティティ１０６との間で利用され得るすべてのチャネルまたはキャリアではなく、当業者であれば、例示されたものに加えて、他のトラフィックチャネル、制御チャネル、およびフィードバックチャネルのような他のチャネルまたはキャリアが利用され得ることを認識するであろう。
【００５９】
[0059]上で説明されたこれらの物理チャネルは、一般に、媒体アクセス制御（ＭＡＣ）レイヤでの処理のために、多重化され、トランスポートチャネルにマッピングされる。トランスポートチャネルは、トランスポートブロック（ＴＢ）と呼ばれる情報のブロックを搬送する。情報のビット数に対応し得るトランスポートブロックサイズ（ＴＢＳ）は、所与の送信における変調およびコーディング方式（ＭＣＳ）およびＲＢの数に基づく、被制御パラメータであり得る。
【００６０】
ロケーションサービスアーキテクチャ
[0060]図３は、本開示のいくつかの態様による、ロケーションサービス（ＬＣＳ）をサポートするネットワークアーキテクチャ３００を例示する図である。図４は、本開示のいくつかの態様による、ネットワーク３００のサービスベースのインターフェース表現を使用してロケーションサービスへのアーキテクチャサポートを例示する図である。このネットワークアーキテクチャ３００は、図１および図２に関して例示および説明されたワイヤレスネットワークを使用してインプリメントされ得る。この例では、ＵＥ３０２は、次世代（ＮＧ）−ＲＡＮ３０６を介してコアネットワーク（ＣＮ）３０４にアクセスすることができる。コアネットワーク３０４は、コアネットワーク１０２であり得、ＮＧ−ＲＡＮ３０６は、ＲＡＮ１０４であり得る。ＮＧ−ＲＡＮ３０６は、コアネットワーク３０４と通信するｇＮＢおよび／またはｅＮＢから構成される。コアネットワーク３０４は、様々なネットワーク機能およびエンティティ、例えば、ロケーション管理機能（ＬＭＦ）３０８、アクセスおよびモビリティ管理機能（ＡＭＦ）３０５、統合データ管理（ＵＤＭ）３１０、ゲートウェイモバイルロケーションセンタ（ＧＭＬＣ）３１２、およびロケーション検索機能（ＬＲＦ）３１６を含む。代替的なアーキテクチャでは、ＧＭＬＣは、ＬＭＦとの直接的なインターフェースを有し得、ＬＭＦと直接通信することができる。この代替的な構成では、ＡＭＦは、ＬＭＦとＮＧ−ＲＡＮまたはＵＥとの間での単純な転送機能を実行し得る。
【００６１】
[0061]コアネットワーク３０４は、様々な測位メカニズム、例えば、アップリンクおよびダウンリンクセルカバレージベースの測位方法、観測到着時間差（ＯＴＤＯＡ）測位方法、支援型全地球航法衛星システム（Ａ−ＧＮＳＳ）ベースの測位方法、アップリンク到着時間差（ＵＴＤＯＡ）測位方法、等、を使用してＬＣＳをサポートし得る。本開示のいくつかの態様では、コアネットワーク３０４は、例えば、車車間（Ｖ２Ｖ）またはビークル・ツー・エブリシング（Ｖ２Ｘ）アプリケーションにおいて、測距ベースの測位方法をサポートし得る。「測距」という用語は、デバイス、車両、ＵＥのペア、またはそれぞれのＵＥ上のアンテナのペアの間の距離を測定および／または決定することを指す。測定される距離は、ＵＥ位置推定を精緻化（refine）または改善するために、他の測位方法、例えば、衛星ベースの位置、と組み合わされ得る。測距ベースのＶ２Ｘ測位は、車両位置決定の精度をセンチメートルのオーダーまたはそれ以上に高めることができる。いくつかの例では、ＵＥによって送信される測距信号は、高度に精確な測距測定を達成するために短期間に集中しているであろう。
【００６２】
[0062]ＡＭＦ３０５は、様々な機能、例えば、登録管理、接続管理、モビリティ管理、アクセス認証／許可、ロケーションサービス管理、ＵＥとＬＭＦとの間およびＮＧ−ＲＡＮとＬＭＦとの間でのロケーションサービスメッセージのためのトランスポートを提供することができる。ＡＭＦは、コアネットワークノードの例である。
【００６３】
[0063]ＬＭＦ３０８は、様々な機能、例えば、ＵＥから測距情報を受信すること、ＵＥのロケーションを決定すること、ＵＥからダウンリンクロケーション測定またはロケーション推定を取得すること、ＮＧ−ＲＡＮ３０６からアップリンクロケーション測定を取得すること、および／またはＮＧ−ＲＡＮ３０６から非ＵＥ関連支援データを取得すること、等、を提供することができる。
【００６４】
[0064]ＵＤＭ３１０は、様々な機能、例えば、ユーザ識別情報処理（例えば、加入者ごとのＳＵＰＩ（Subscriber Permanent Identifier）の記憶および管理）、サブスクリプションデータに基づくアクセス許可、ＵＥのサービングネットワーク機能登録管理、およびサブスクリプション管理、を提供する。
【００６５】
[0065]ＧＭＬＣ３１２は、ロケーションサービス（ＬＣＳ）クライアント３１４へのサービスインターフェースを提供する。ＬＲＦ３１６は、緊急セッションを開始したユーザについてのロケーション情報を検索する。
【００６６】
[0066]一例では、ＵＥのグループ（例えば、図４のＵＥ１、ＵＥ２、ＵＥ３）は、それぞれの割り振られた無線リソースを用いて測距動作に参加することができる。ＵＥ１は、第１の無線リソース（Ｒｓｒｃ１）および第１のＺａｄｏｆｆ−Ｃｈｕ（ＺＣ）シーケンス（ＺＣ−ｓｅｑ１）を使用して測距信号３３０を送信し得る。ＵＥ２は、第２の無線リソース（Ｒｓｒｃ２）および第２のＺＣシーケンス（ＺＣ−ｓｅｑ２）を使用して測距信号３３２を送信し得る。ＵＥ３は、第３の無線リソース（Ｒｓｒｃ３）および第３のＺＣシーケンス（ＺＣ−ｓｅｑ３）を使用して測距信号３３４を送信し得る。測距動作において、各ＵＥは、他のＵＥから受信された測距信号を測定する。無線リソースは、スケジューリングエンティティによってスケジューリングされる時間周波数リソースであり得る。
【００６７】
[0067]したがって、ＵＥ１が、Ｒｓｒｃ２およびＺＣ−ｓｅｑ２を使用して送られたＵＥ２からの測距信号３３２を受信する場合、ＵＥ１は、この測定のための到着時間（ＴＯＡ）（ＴＯＡ１２と表される）を決定することができる。この結果は、結果ベクトル（ＴＯＡ１２，Ｒｓｒｃ２，ＺＣ−ｓｅｑ２）で記憶され得る。同様に、ＵＥ１が、Ｒｓｒｃ３およびＺＣ−ｓｅｑ３を使用して送られたＵＥ３からの測距信号３３４を受信する場合、ＵＥ１は、この測定のための対応するＴＯＡ（ＴＯＡ１３と表される）を決定することができる。この結果は、結果ベクトル（ＴＯＡ１３，Ｒｓｒｃ３，ＺＣ−ｓｅｑ３）として記憶され得る。同様に、ＵＥ２は、ＵＥ１の測距信号３３０およびＵＥ３の測距信号３３４を測定し、これらの測定値を結果ベクトル（ＴＯＡ２１，Ｒｓｒｃ１，ＺＣ−ｓｅｑ１）および（ＴＯＡ２３，Ｒｓｒｃ３，ＺＣ−ｓｅｑ３）で記憶することができる。ＵＥ３は、同様の測定を実行し、結果ベクトル（ＴＯＡ３１，Ｒｓｒｃ１，ＺＣ−ｓｅｑ１）および（ＴＯＡ３２，Ｒｓｒｃ２，ＺＣ−ｓｅｑ２）を得ることができる。
【００６８】
[0068]各ＵＥは、ＲＡＮノード（例えば、ｇＮＢ）に、特定の無線リソースベースの測距レポートにおいてその結果ベクトルをレポートする。ＲＡＮノードは、無線リソースベースの測距レポートを、図７〜１０に関して以下でより詳細に説明される内部ＩＤベースの測距レポートに変換し得る。無線リソースベースの測距レポートでは、測距結果は、対応する測距動作を実行するために使用される無線リソースによってインデックス付けされるかまたは識別される。内部ＩＤベースの測距レポートでは、測距結果は、ＵＥの内部ＩＤによってインデックス付けされるかまたは識別される。例えば、ＵＥ１の無線リソースベースのレポートでは、ＲＡＮノードは、［Ｒｓｒｃ１，ＺＣ−ｓｅｑ１］（ＴＯＡ１２，Ｒｓｒｃ２，ＺＣ−ｓｅｑ２）；（ＴＯＡ１３，Ｒｓｒｃ３，ＺＣ−ｓｅｑ３）を見つけることができる。ＲＡＮノードは、［Ｒｓｒｃ１，ＺＣ−ｓｅｑ１］がＵＥ１に割り振られた内部ＩＤ１に対応し、（Ｒｓｒｃ２，ＺＣ−ｓｅｑ２）がＵＥ２に割り振られた内部ＩＤ２に対応し、（Ｒｓｒｃ３，ＺＣ−ｓｅｑ３）がＵＥ３に割り振られた内部ＩＤ３に対応することを知っている。ＲＡＮノードは、以前のまたは所定の無線リソース割振りおよび内部ＩＤ割振りプロシージャに基づいて、これらの関連付けを行うことができる。
【００６９】
[0069]したがって、ＲＡＮノードは、ＵＥ１のレポートを、［内部ＩＤ１］、（ＴＯＡ１２，内部ＩＤ２）、（ＴＯＡ１３，内部ＩＤ３）を含む内部ＩＤベースの測距レポートに変換することができる。同様に、ＲＡＮノードは、ＵＥ２およびＵＥ３からのレポートを変換することができる。結果として、ＵＥ２の内部ＩＤベースの測距レポートは、［内部ＩＤ２］、（ＴＯＡ２１、内部ＩＤ１）、（ＴＯＡ２３、内部ＩＤ３）を含む。同様に、ＵＥ３の内部ＩＤベースの測距レポートは、［内部ＩＤ３］、（ＴＯＡ３１、内部ＩＤ１）、（ＴＯＡ３２、内部ＩＤ２）を含む。変換の後、ＲＡＮノードは、これらの内部ＩＤベースの測距レポートを、個別にまたは集約して、ＬＭＦにレポートすることができる。ＬＭＦは、ＵＥ１、ＵＥ２、およびＵＥ３すべてからの測距レポートに基づいてロケーション算出を実行することができる。例示的なロケーション算出は、ＵＥ間の範囲を決定するために、すべてのレポートされたＴＯＡ値を取ることと、関連する往復時間（ＲＴＴ）値を算出することとを含む。
【００７０】
[0070]例えば、ＴＯＡは、２つのＵＥ間の距離ｄを示し、ＴＯＡ＝ｄ／ｃ＋／−Ｔｏｆｆであり、ここで、光の速度がｃで表記され、クロックのオフセットがＴｏｆｆで表記されている。クロックオフセットＴｏｆｆは、数マイクロ秒（μｓ）であり得、ＴＯＡ範囲、例えば、−４０００ナノ秒（ｎｓ）から４０００ｎｓの間、に収まり得る。各ＵＥペアについて、往復時間（ＲＴＴ）は、２ｄ／ｃである。ネットワークは、ＲＴＴをナノ秒単位でレポートし得る。ネットワークは、ＵＥの各々のために割り振られた測距シグナリングリソースをすべて知っているため、ネットワークは、ＲＴＴを、そしてＵＥ間の距離を推定することができる。ＲＴＴがいくつかのＵＥまたは基準ノードの既知の位置と組み合わされるとき、ネットワークは、すべてのＵＥの位置を決定することができる。
【００７１】
[0071]いくつかの例では、測距レポートは、追加の情報、例えば、ＵＥのＧＮＳＳロケーション情報、アンテナロケーション、車両の速度および／または方向、無線特性、等を含み得る。例えば、ＵＥ位置のシグナリングおよび算出は一定の時間を要するため、ＵＥの位置を精確に反映するために、ネットワークは、ＵＥの速度および／または方向を活用して、移動による差分を補償することができる。
【００７２】
[0072]本開示のいくつかの態様では、ＬＭＦは、内部ＩＤに基づいて測距算出の結果を決定し、次いで、その結果を外部ＩＤベースの結果に変換することができる。本開示の一態様では、内部ＩＤは、ＡＭＦが結果を識別するためにトラッキングエリアおよび／またはＲＡＮノードＩＤを使用し得るため、外部ＩＤと比べて小さい数の範囲、例えば、３２ビット、を使用することができる。他方で、外部ＩＤは、ネットワークが、ＵＥの関連付けにかかわらずＵＥを一意に識別する必要があるため、はるかに大きい数の範囲、例えば、１２８ビット、を有する必要があり得る。例えば、内部ＩＤベースのレポートは、これらのデータ［内部ＩＤ１、ロケーション１］、［内部ＩＤ２、ロケーション２］、および［内部ＩＤ３、ロケーション３］を有し得る。記憶された情報に基づいて、ＬＭＦは、内部ＩＤ１が外部ＩＤ１に対応し、内部ＩＤ２が外部ＩＤ２に対応し、内部ＩＤ３が外部ＩＤ３に対応することを知っている。したがって、ＬＭＦは、結果を、［外部ＩＤ１、ロケーション１］、［外部ＩＤ２、ロケーション２］、［外部ＩＤ３、ロケーション３］に変換することができる。ＬＭＦは、ＲＡＮノードのカバレージエリア内のすべてのＵＥにブロードキャストされるようにまたは個々のＵＥに直接配信されるように、ロケーション結果をＲＡＮに送り返すことができる。いくつかの例では、ＬＭＦは、ＲＡＮに、マルチメディアブロードキャストマルチキャストサービス（ＭＢＭＳ）を使用して、結果をブロードキャストさせることができる。外部ＩＤは、ＬＭＦがＵＥの永久ＩＤを知る必要がないように、ＵＥの永久ＩＤを隠すために、ＡＭＦによって割り振られ得る。永久ＩＤのいくつかの例は、国際移動電話加入者識別番号（ＩＭＳＩ）、加入者永久識別子（ＳＵＰＩ）、等である。ＬＭＦは、ＲＡＮに、ブロードキャスト／マルチキャストでロケーション結果を送信させ得るため、プライバシを向上させるためにＵＥの真の長期ＩＤ（例えば、永久ＩＤ）を明らかにしないままでそれらの告知においてＵＥを示すために、外部ＩＤが使用され得る。いくつかの例では、ＵＥのＩＤを隠蔽することが重要でないまたは必要とされない場合、外部ＩＤは必要とされないであろう。そのケースでは、ＵＥの永久ＩＤは、ブロードキャストまたはユニキャストを使用してＲＡＮによって送信され得る結果においてＵＥを識別するために使用され得る。ＬＭＦは、ＲＡＮとＬＭＦとの間の内部使用のために内部ＩＤを割り振り得る。ＲＡＮは、無線リソース割振りを実行するために内部ＩＤを使用し得、したがって、ＬＭＦは、測距動作のためのＲＡＴ詳細、例えば、無線リソースインデックス、ＵＥへのＺＣシーケンスマッピング、等、を知る必要はない。
【００７３】
[0073]図５は、処理システム４１４を用いるスケジューリングエンティティ４００のためのハードウェアインプリメンテーションの例を例示するブロック図である。例えば、スケジューリングエンティティ４００は、図１、図２、および／または図３のうちの任意の１つまたは複数に例示されたユーザ機器（ＵＥ）であり得る。別の例では、スケジューリングエンティティ４００は、図１、図２、および／または図３のうちの任意の１つまたは複数に例示された基地局またはネットワークノードであり得る。
【００７４】
[0074]スケジューリングエンティティ４００は、１つまたは複数のプロセッサ４０４を含む処理システム４１４でインプリメントされ得る。プロセッサ４０４の例には、マイクロプロセッサ、マイクロコントローラ、デジタルシグナルプロセッサ（ＤＳＰ）、フィールドプログラマブルゲートアレイ（ＦＰＧＡ）、プログラマブル論理デバイス（ＰＬＤ）、ステートマシン、ゲート論理、ディスクリートハードウェア回路、および本開示全体を通して説明される様々な機能性を実行するように構成された他の適切なハードウェアが含まれる。様々な例では、スケジューリングエンティティ４００は、本明細書で説明される機能のうちの任意の１つまたは複数を実行するように構成され得る。すなわち、プロセッサ４０４は、スケジューリングエンティティ４００において利用されるとき、以下で説明され、図７〜１３に例示されるプロセスおよびプロシージャのうちの任意の１つまたは複数をインプリメントするために使用され得る。
【００７５】
[0075]この例では、処理システム４１４は、一般にバス４０２で表されるバスアーキテクチャでインプリメントされ得る。バス４０２は、処理システム４１４の特定の用途と設計制約全体とに依存して、任意の数の相互接続バスおよびブリッジを含み得る。バス４０２は、１つまたは複数のプロセッサ（一般にプロセッサ４０４で表される）、メモリ４０５、およびコンピュータ読取可能な媒体（一般にコンピュータ読取可能な媒体４０６で表される）を含む様々な回路を互いに通信可能に結合する。バス４０２はまた、タイミングソース、周辺機器、電圧レギュレータ、および電力管理回路のような様々な他の回路をリンクすることができるが、これらは、当技術分野では周知であるためこれ以上説明されないであろう。バスインターフェース４０８は、バス４０２とトランシーバ４１０との間のインターフェースを提供する。トランシーバ４１０は、送信媒体上で様々な他の装置と通信するための通信インターフェースまたは手段を提供する。装置の性質に依存して、ユーザインターフェース４１２（例えば、キーパッド、ディスプレイ、スピーカ、マイクロフォン、ジョイスティック）も提供され得る。当然ながら、そのようなユーザインターフェース４１２は、オプションであり、基地局のようないくつかの例では省略され得る。
【００７６】
[0076]本開示のいくつかの態様では、プロセッサ４０４は、図７〜１３に関して以下で説明される機能のうちの１つまたは複数をインプリメントするように構成された回路を含み得る。プロセッサ４０４は、処理回路４４０と、通信回路４４２と、ロケーションサービス（ＬＣＳ）回路４４４とを含み得る。処理回路４４０は、本明細書で説明されるワイヤレス通信において使用され得る様々なデータ処理および論理機能を実行するように構成され得る。通信回路４４２は、本明細書で説明される様々な通信プロセスおよび機能を実行するように構成され得る。ＬＣＳ回路４４４は、本明細書で説明される様々なロケーションサービスおよび測距動作を実行し得る。
【００７７】
[0077]プロセッサ４０４は、バス４０２の管理と、コンピュータ読取可能な媒体４０６に記憶されたソフトウェアの実行を含む汎用処理とを担う。ソフトウェアは、プロセッサ４０４によって実行されると、処理システム４１４に、任意の特定の装置について以下で説明される様々な機能を実行させる。コンピュータ読取可能な媒体４０６およびメモリ４０５はまた、ソフトウェアを実行するときにプロセッサ４０４によって操作されるデータを記憶するために使用され得る。
【００７８】
[0078]処理システム内の１つまたは複数のプロセッサ４０４は、ソフトウェアを実行し得る。ソフトウェアは、ソフトウェア、ファームウェア、ミドルウェア、マイクロコード、ハードウェア記述言語で呼ばれても、それ以外の名称で呼ばれても、命令、命令のセット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数、等を意味すると広く解釈されるものとする。ソフトウェアは、コンピュータ読取可能な媒体４０６上に存在し得る。コンピュータ読取可能な媒体４０６は、非一時的コンピュータ読取可能な媒体であり得る。非一時的コンピュータ読取可能な媒体には、例として、磁気記憶デバイス（例えば、ハードディスク、フロッピー（登録商標）ディスク、磁気ストリップ）、光学ディスク（例えば、コンパクトディスク（ＣＤ）またはデジタル多用途ディスク（ＤＶＤ））、スマートカード、フラッシュメモリデバイス（例えば、カード、スティック、またはキードライブ）、ランダムアクセスメモリ（ＲＡＭ）、読取専用メモリ（ＲＯＭ）、プログラマブルＲＯＭ（ＰＲＯＭ）、消去可能ＰＲＯＭ（ＥＰＲＯＭ）、電気的消去可能ＰＲＯＭ（ＥＥＰＲＯＭ（登録商標））、レジスタ、リムーバブルディスク、およびコンピュータによってアクセスおよび読取可能なソフトウェアおよび／または命令を記憶するための任意の他の適切な媒体が含まれる。コンピュータ読取可能な媒体４０６は、処理システム４１４内に存在するか、処理システム４１４の外部に存在するか、または処理システム４１４を含む複数のエンティティにわたって分散され得る。コンピュータ読取可能な媒体４０６は、コンピュータプログラム製品において具現化され得る。例として、コンピュータプログラム製品は、パッケージング材料のコンピュータ読取可能な媒体を含み得る。当業者であれば、特定の用途とシステム全体に課された設計制約全体とに依存して、本開示全体を通して提示されている説明された機能性をインプリメントするのに最良の方法を認識するであろう。
【００７９】
[0079]１つまたは複数の例では、コンピュータ読取可能な記憶媒体４０６は、図７〜１３に関して説明される機能のうちの１つまたは複数をインプリメントするように構成されたソフトウェアを含み得る。ソフトウェアは、処理命令４５２と、通信命令４５４と、ロケーションサービス（ＬＣＳ）命令４５６とを含み得る。処理命令４５２は、本明細書で説明されるワイヤレス通信において使用され得る様々なデータ処理および論理機能を実行するようにプロセッサ４０４を構成し得る。通信命令４５４は、本明細書で説明される様々な通信プロセスおよび機能を実行するようにプロセッサ４０４を構成し得る。ＬＣＳ命令４５６は、本明細書で説明される様々なロケーションサービスおよび測距動作を実行するようにプロセッサ４０４を構成し得る。
【００８０】
[0080]図６は、処理システム５１４を用いる例示的な被スケジューリングエンティティ５００のためのハードウェアインプリメンテーションの例を例示する概念図である。本開示の様々な態様によれば、１つのエレメント、または１つのエレメントの任意の部分、または複数のエレメントの任意の組合せは、１つまたは複数のプロセッサ５０４を含む処理システム５１４でインプリメントされ得る。例えば、被スケジューリングエンティティ５００は、図１、図２、および／または図３のうちの任意の１つまたは複数に例示されたユーザ機器（ＵＥ）であり得る。
【００８１】
[0081]処理システム５１４は、バスインターフェース５０８と、バス５０２と、メモリ５０５と、プロセッサ５０４と、コンピュータ読取可能な媒体５０６とを含む、図５に例示される処理システム４１４と実質的に同じであり得る。さらに、被スケジューリングエンティティ５００は、図５において上で説明されたものと実質的に類似するユーザインターフェース５１２とトランシーバ５１０とを含み得る。すなわち、プロセッサ５０４は、被スケジューリングエンティティ５００において利用されるとき、図７〜１３において説明および例示されるプロセスのうちの任意の１つまたは複数をインプリメントするために使用され得る。
【００８２】
[0082]本開示のいくつかの態様では、プロセッサ５０４は、図７〜１３に関して説明された機能のうちの１つまたは複数をインプリメントするように構成された回路を含み得る。プロセッサ５０４は、処理回路５４０と、通信回路５４２と、ロケーションサービス（ＬＣＳ）回路５４４とを含み得る。処理回路５４０は、本明細書で説明されるワイヤレス通信において使用され得る様々なデータおよび信号処理ならびに論理機能を実行するように構成され得る。通信回路５４２は、本明細書で説明される様々な通信プロセスおよび機能を実行するように構成され得る。ＬＣＳ回路５４４は、本明細書で説明される様々なロケーションサービスおよび測距動作を実行し得る。
【００８３】
[0083]１つまたは複数の例では、コンピュータ読取可能な記憶媒体５０６は、図７〜１３に関して説明された機能のうちの１つまたは複数をインプリメントするように構成されたソフトウェアを含み得る。ソフトウェアは、処理命令５５２と、通信命令５５４と、ロケーションサービス（ＬＣＳ）命令５５６とを含み得る。処理命令５５２は、本明細書で説明されるワイヤレス通信において使用され得る様々なデータ処理および論理機能を実行するようにプロセッサ５０４を構成し得る。通信命令５５４は、本明細書で説明される様々な通信プロセスおよび機能を実行するようにプロセッサ５０４を構成し得る。ＬＣＳ命令５５６は、本明細書で説明される様々なロケーションサービスおよび測距動作を実行するようにプロセッサ５０４を構成し得る。
【００８４】
[0084]本開示の態様は、ワイヤレス通信システムにおけるロケーションサービス（ＬＣＳ）サポートを対象とし、より具体的には、Ｖ２Ｘ測距ベースの測位のためのＬＣＳサポートを対象とする。Ｖ２Ｘ測距ベースの測位には、測距信号を使用して測位を達成するために調整されるデバイス（例えば、ＵＥまたは車両）のグループが関与している。Ｖ２Ｘ測位の識別、制御、調整、およびサポートは、例えば、測距信号設計およびＵＥプライバシ要件により、他のＬＣＳ測位方法のものとは異なる。ネットワークは、Ｖ２Ｘ測距ベースの測位動作のための無線リソースを管理し（例えば、スケジューリングし、割り振り）得るが、そうでなければ、ＵＥ間の測距動作への関与が限定されている。
【００８５】
[0085]Ｖ２Ｘ測距ベースの測位をサポートするネットワークでは、ネットワークは、例えば、ネットワークスライシングまたは同様のものに基づいたＶ２Ｘ固有のＬＣＳサーバ（例えば、ＬＭＦ３０８）の選択を容易にする。ネットワークスライシングにより、ワイヤレス通信ネットワークは、複数の仮想サービスネットワーク（ＶＳＮ）、またはネットワークスライスに分離され得、それらは、異なるタイプのサービスのニーズにより良好に適合するように別個に構成される。換言すると、ネットワークスライシングは、複数の論理ネットワークまたはサービスが共有物理ネットワークインフラストラクチャの上で動作することを可能にする仮想化の一形態である。いくつかのワイヤレス通信ネットワークは、例えば、モバイルブロードバンド、モノのインターネット（ＩｏＴ）、Ｖ２Ｘ、および他のサービスにしたがって、分離され得る。いくつかの例では、Ｖ２Ｘスライスは、Ｖ２Ｘ関連測距ベースの測位機能を提供するためにネットワークにおいて定義され得る。次世代ネットワーク（例えば、５Ｇ ＮＲ）では、アクセスおよびモビリティ管理機能（ＡＭＦ）は、Ｖ２ＸスライスＩＤに基づいてＶ２Ｘ固有ＬＣＳサーバ（例えば、図３のＬＭＦ３０８）をバインドし得る。ＵＥは、ＵＥとコアネットワークノード（例えば、ＡＭＦおよびＬＭＦ）との間の非アクセス層（ＮＡＳ）シグナリングを使用して、Ｖ２Ｘ測距ベースのＬＣＳに対するその要望またはサポートを示すことができる。
【００８６】
[0086]測距ベースのロケーションサービスセッションでは、無線アクセスネットワーク（例えば、ＮＧ−ＲＡＮ３０６であり、以下の説明では、ＲＡＮと呼ばれ得る）は、測距ＩＤマッピングおよびリソース割振りを支援することができる。外部ＩＤおよび内部ＩＤは、測距ベースのロケーションサービスセッションに参加するＵＥのプライバシを守り、コアネットワークから無線固有リソース管理を隔離するために使用され得る。無線アクセスネットワーク（ＲＡＮ）ノード（例えば、基地局またはｇＮＢ）は、Ｖ２Ｘで使用するための無線リソースを割り振り、それをＵＥの内部ＩＤにマッピングし得る。内部ＩＤにマッピングした後、ＲＡＮノードは、ＵＥのＶ２Ｘ情報を収集し、それを、処理のためにＬＭＦに転送することができる。ＬＭＦは、Ｖ２Ｘ測距プライバシおよびＲＡＴ非依存動作（RAT agnostic operation）を容易にするためにＩＤ管理を支援し得る。一例では、ＬＭＦは、ＲＡＴ独立性を達成するために、ＲＡＮノードが使用するための内部ＩＤを割り振ることができる。ＬＭＦは、ＲＡＮに、ブロードキャストまたはマルチキャストを使用して結果を告知させるときにＵＥのプライバシ保護を提供するために、ロケーション結果においてＵＥを識別するために外部ＩＤを使用することができる。いくつかの例では、ＲＡＮノードは、ＵＥの既知のまたは推定されたロケーションに基づいて、測距動作のための無線リソース割振りを精緻化することができる。例えば、セルのセクタ内の、例えば、ＵＥの大まかな位置についての知識に基づいて、ＲＡＮノードは、潜在的な衝突を回避するためにまたは受信に改良するために、どのリソースプールをＵＥが使用し得るかを決めることができる。
【００８７】
[0087]例示的な測距ベースのＬＣＳセッションは、以下の図７〜１０に関連してより詳細に説明されるであろう。
【００８８】
[0088]図７は、本開示のいくつかの態様による、ワイヤレス通信ネットワークにおけるＬＣＳサーバのＵＥ登録および選択のシグナリングプロセス６００を例示する図である。この例では、シグナリングプロセス６００には、ＵＥ６０２と、ＲＡＮ６０４と、ＡＭＦ６０６と、ＬＭＦ６０８とが関与している。ＡＭＦ６０６およびＬＭＦ６０８は、コアネットワーク（例えば、ＣＮ３０４）の構成要素であり得る。これらのエンティティは、図１〜３において説明および例示されたものと同様または同一であり得る。いくつかの例では、シグナリングプロセス６００は、以下で説明される機能またはアルゴリズムを実行するための任意の適切な装置または手段によって実行され得る。
【００８９】
[0089]ＵＥ６０２は、例えば、ランダムアクセスプロシージャを使用して、ＲＡＮ６０４（例えば、ＮＧ−ＲＡＮ）との無線制御リソース（ＲＲＣ）接続を確立し得る。ＵＥは、Ｖ２Ｘ測距ベースのロケーションサービス（ＬＣＳ）をサポートするネットワークスライス（例えば、Ｖ２Ｘスライス）に対するその要望または要求を示し得る。そのようなインジケーションは、ＵＥ登録のためのＲＲＣメッセージおよびＮＡＳメッセージ６１０（例えば、登録要求）中に含まれ得る。登録要求に応答して、ＲＡＮ６０４は、このＶ２Ｘネットワークスライスをサポートする（すなわち、Ｖ２Ｘ測距ベースのＬＣＳをサポートする）ことができるＡＭＦを選択する（例えば、ブロック６１１においてＡＭＦ６０６を選択する）。ＲＡＮ６０４は、オプションで、ＵＥのために（例えば、ブロック６１２において）Ｖ２Ｘ測距無線リソースを準備または割り振り得る。これらの無線リソースのいくつかの例は、時間周波数リソース、空間リソース、およびコーディングシーケンス（例えば、Ｚａｄｏｆｆ−Ｃｈｕ（ＺＣ）シーケンス、および同様のもの）である。ＲＡＮ６０４は、ＵＥ登録メッセージ６１４を選択されたＡＭＦに転送する。登録メッセージ６１４は、オプションで、ＡＭＦを介してＬＭＦに宛てられた（例えば、ＮＰＰａ（Ｖ２Ｘ測距情報）として例示される）測位プロトコルメッセージ中にカプセル化されたＶ２Ｘ測距関連情報、例えば、セルＩＤ、セルサイズ、周波数、等、を提供し得る。代替的な動作では、ＲＡＮは、ＡＭＦに向けてＮＡＳメッセージ（例えば、Ｎ２メッセージ）内のコンテナ情報エレメント（ＩＥ）中でＶ２Ｘ測距関連情報を送り得る。代替的な動作では、Ｖ２Ｘ測距関連情報は、ＵＥのために確保された無線リソースに対応する、ＮＧ−ＲＡＮノード（例えば、ＲＡＮ６０４）によって提案された内部ＩＤを含み得る。
【００９０】
[0090]登録メッセージ６１４に応答して、示されたＶ２Ｘスライス情報に基づいて、ＡＭＦ６０６は、Ｖ２Ｘ測距ベースのＬＣＳをサポートすることができるＬＭＦ（例えば、ＬＭＦ６０８）を（例えば、ブロック６１６において）選択する。オプションで、ＡＭＦ６０６は、ＵＥが測距ベースのＬＣＳを使用するためのサブスクリプションまたは許可を有するかどうかをチェックし得る（例えば、ブロック６１８）。次いで、ＡＭＦは、測距ベースのロケーションサービスセッションを開始するための要求（例えば、Loc session init６２０）をＬＭＦに送信する。ＡＭＦは、利用可能な場合、測位プロトコルメッセージ（例えば、ＮＰＰａ（Ｖ２Ｘ測距情報））中にカプセル化されたＶ２Ｘ測距関連情報を転送し得る。代替的な動作では、ＡＭＦは、ＡＭＦとＬＭＦとの間の相互作用の一部として、コンテナＩＥ中でＶ２Ｘ測距関連情報を送り得る。
【００９１】
[0091]ＡＭＦ６０６は、測距ベースのロケーションサービスセッション中に、ＵＥを識別するための外部ＩＤをＬＭＦに割り振り、提供し得る。例えば、外部ＩＤは、ＲＡＮにおいてエアインターフェース上でＵＥのためのロケーション結果告知において使用されることができる。ロケーション結果がＲＡＮ内のすべての他のＵＥによって見られ得るため、ロケーション結果においてＵＥを識別するために外部ＩＤを使用することで、ＵＥの永久ＩＤを他のＵＥおよびＬＭＦから隠すことができる。いくつかの例では、外部ＩＤは、ＲＡＮがポイント・ツー・ポイント（例えば、ユニキャスト）および／またはセキュア通信を使用してＵＥと通信するとき、ＵＥの永久ＩＤと置き換えられ得る。いくつかの例では、ネットワークは、プライバシが重要でないまたは必要とされないとき、ロケーション結果においてＵＥを識別するために、ＵＥの永久ＩＤを使用し得る。永久ＩＤのいくつかの例は、国際移動体加入者識別番号（ＩＭＳＩ）、加入者永久識別子（ＳＵＰＩ）、加入隠蔽識別子（ＳＵＣＩ）、等である。本開示のいくつかの態様では、ＡＭＦ６０６は、ＵＥがネットワーク内の他のユーザによって追跡され得る可能性を低下させるために、ＵＥの外部ＩＤを周期的に（例えば、５分ごとに）または非周期的に変更し得る。ＡＭＦ６０６は、ＵＥがＶ２Ｘ測距サポートに登録されている限り、外部ＩＤを維持することができる。ＡＭＦは、ＵＥがＶ２Ｘ測距ベースのＬＣＳを登録解除または無効にすると、外部ＩＤを除去するかまたは再び割り振り得る。外部ＩＤは、ＡＭＦにわたってＵＥコンテキスト内で搬送されることができ、ＡＭＦの決定に基づいて更新されることができる。いくつかの例では、ＵＥは、ＵＥを識別するために使用され得る外部ＩＤを少なくとも部分的に制御し得る。例えば、ＵＥは、外部ＩＤを決定または認証するために使用され得る鍵または証明書をロケーションサービスの登録中にネットワークに提供し得る。
【００９２】
[0092]ＬＭＦ６０８は、測距ベースのロケーションサービスセッション中にＵＥを識別するための内部ＩＤを割り振り得る。内部ＩＤは、測位プロトコルを使用するＲＡＮ６０４とＬＭＦ６０８との間の通信において使用される。ＲＡＮノード（例えば、基地局またはｇＮＢ）は、ＵＥがＲＡＮノードのカバレージ内にある限り、ＬＭＦに対してＵＥを識別するために内部ＩＤを使用することができる。いくつかの例では、ＬＭＦは、ＵＥがＲＡＮノードのカバレージ内に留まっているかどうかにかかわらず、所定の時間期間の後に内部ＩＤを更新または変更することができる。内部ＩＤは、外部ＩＤより少ないまたは多い頻度で変化し得る。ＬＭＦ６０８は、測距ベースのＬＣＳがＵＥのためにアクティブ化されるとき、内部ＩＤを割り振り得る。ＬＭＦ６０８は、ＵＥがそのＲＡＮノードまたはＲＡＮエリアを変更するとき、内部ＩＤを更新することができる。例えば、ＬＭＦ６０８は、ＵＥが新しいＲＡＮノード（例えば、ｇＮＢ）と通信するとき、新しい内部ＩＤを割り振ることができる。ＬＭＦは、ＵＥが、ＲＡＮのエリアの外にまたは別の無線アクセス技術（ＲＡＴ）に移動するとき、内部ＩＤを割振り解除し得る。
【００９３】
[0093]ＡＭＦメッセージ（例えば、Loc session initメッセージ６２０）に応答して、ＬＭＦ６０８は、例えば、内部ＩＤおよび／または外部ＩＤを含む肯定応答メッセージ（例えば、Loc session init ＡＣＫ６２１）をＡＭＦに送信する。ＬＭＦは、ＵＥに宛てられた測位プロトコルメッセージ（例えば、ＮＰＰ（ＩＤ−Ｅｘｔ．））中に外部ＩＤをカプセル化し得る。外部ＩＤは、直接、ＵＥからの測距レポートおよびＵＥへのロケーション結果告知において使用され得る。ＬＭＦは、ＲＡＮに宛てられた測位プロトコルメッセージ（例えば、ＮＰＰａ（ＩＤ−Ｉｎｔ．））中に内部ＩＤをカプセル化し得る。ＡＭＦ６０６は、例えば、外部ＩＤおよび内部ＩＤを含むＮＰＰおよびＮＰＰａを含む肯定応答メッセージ（例えば、ＮＡＳ登録ＡＣＫ６２２）中でＬＭＦのメッセージをＲＡＮ６０４に転送する。次いで、ＲＡＮは、外部ＩＤを含むＮＰＰメッセージをＵＥに転送する。ＲＡＮは、それに応じて、測距使用のために無線リソースをＵＥに割り振り、この無線リソースを、ＬＭＦによって示される内部ＩＤに関連付け得る。ＲＡＮは、ＲＲＣメッセージによって搬送される登録応答（例えば、非アクセス層（ＮＡＳ）登録ＡＣＫ６２４）中で、外部ＩＤを含む無線リソース割振りおよびＮＰＰメッセージをＵＥに送り得る。いくつかの例では、ＡＭＦは、登録応答６２４上にピギーバックする代わりに、別個のＮＡＳメッセージとして、外部ＩＤを含むＮＰＰメッセージをＵＥに転送し得る。
【００９４】
[0094]図８は、本開示のいくつかの態様による、ワイヤレス通信ネットワークにおける測距ベースのロケーションサービスのシグナリングプロセス７００を例示する図である。この例では、シグナリングプロセス７００には、ＵＥ７０２と、ＲＡＮ７０４と、ＡＭＦ７０６と、ＬＭＦ７０８とが関与している。ＡＭＦ７０６およびＬＭＦ７０８は、コアネットワーク（例えば、ＣＮ３０４）の構成要素であり得る。これらのエンティティは、図１〜３において説明および例示されたものに類似し得る。一例では、これらのネットワークエンティティは、図７に例示されたものと同じである。いくつかの例では、シグナリングプロセス７００は、以下で説明される機能またはアルゴリズムを実行するための任意の適切な装置または手段によって実行され得る。
【００９５】
[0095]ＵＥ７０２は、ＲＡＮ７０４とＲＲＣ接続モードにあり得、ＲＲＣ接続を使用して、その測距結果をＲＡＮ７０４（例えば、ＮＧ−ＲＡＮノード、ｇＮＢ、ｅＮＢ、基地局）にレポートすることができる。例えば、ＵＥは、例えば、到着時間（ＴＯＡ）データ、シーケンスＩＤ、および無線リソースインデックスのリストを含むＲＲＣベースの測距レポート７１０において測距結果をレポートし得る。測距レポート７１０は、無線リソースベースの測距レポートと呼ばれ得る。ＴＯＡデータは、他のＵＥに割り振られ、シーケンスＩＤおよび無線リソースインデックスによって示される測距無線リソースおよびＺＣシーケンスを使用して、他のＵＥ（例えば、図４のＵＥ１、ＵＥ２、ＵＥ３）によって送られた測距信号の測定されたＴＯＡを含み得る。無線リソースインデックスは、サブフレーム番号およびシンボル番号を示し得る。一例では、各サブフレーム中に１４個のシンボルをもつ１６個のサブフレームが存在し得る。ＲＡＮノードは、内部ＩＤと測距動作のためにＵＥ７０２に割り振られた無線リソースとの間のマッピングを知っているため、ブロック７１２において、ＲＡＮノードは、無線リソースベースの測距レポートを内部ＩＤベースのレポートに変換することができる。すなわち、測距レポートは、内部ＩＤによって識別されることができる。例えば、内部ＩＤベースのレポートは、ＴＯＡデータおよび対応する内部ＩＤのリストを含み得る。図８は、１つのＵＥ７０２のみを例示するが、ＲＡＮノードおよびＬＭＦは、ＲＡＮノードによってカバーされる同じエリア内の異なるＵＥから複数の測距レポートを受信し得る。ＲＡＮノード７０４は、異なるＵＥからの複数のレポートを集約し、それらを１つのレポートメッセージ中でまとめてＬＭＦに送り得る。
【００９６】
[0096]ＲＡＮノード７０４は、ＡＭＦ７０６を介してＬＭＦ７０８に内部ＩＤベースのレポート７１４を送信する。例えば、ＲＡＮは、ＬＭＦに宛てられた測位プロトコルメッセージ（例えば、ＮＰＰａ（測定結果））中に測定結果をカプセル化することができる。次いで、ＡＭＦは、ロケーション決定要求（例えば、Ｌｏｃ要求７１６）としてＬＭＦにメッセージを転送する。この測定結果により、ＬＭＦは、ブロック７１７において、ロケーション結果を算出し、ロケーション決定応答（例えば、Ｌｏｃ応答７１８）中でそれをＡＭＦに送り返すことができる。次いで、ＡＭＦは、ＲＡＮ７０４にロケーション結果をルーティングする。ＬＭＦは、ＲＡＮノードに宛てられた測位プロトコルメッセージ（例えば、ＮＰＰａ（ロケーション結果））中にロケーション結果をカプセル化することができる。ＡＭＦは、ロケーション結果のコンテンツを知らずに、ＮＰＰａ（ロケーション結果）７２０をＲＡＮに転送する。ＲＡＮは、専用ＲＲＣメッセージ、セルブロードキャスト、または単一セルポイント・ツー・マルチポイント（ＳＣ−ＰＴＭ）送信を使用して、単一のＵＥまたはＵＥのグループ専用のロケーション結果７２２を送ることができる。本開示のいくつかの態様では、ＬＭＦは、ＲＡＮに、ＲＡＮ７０４を含むセルのグループ内のＵＥのグループに結果を送るためにマルチメディアブロードキャストマルチキャストサービス（ＭＢＭＳ）７２４を使用させ得る。いくつかの例では、ＬＭＦは、ＭＢＭＳシステムにＭＢ２またはｘＭＢインターフェースまたは同様のものを使用して結果をブロードキャストするセルを指定することができる。いくつかの例では、ＬＭＦは、他のＵＥがロケーション結果７２２とターゲットＵＥとの間の関連付けを決定することができないように、ロケーション結果を外部ＩＤに関連付け得る。
【００９７】
[0097]図９は、本開示のいくつかの態様による、ワイヤレス通信ネットワークにおける測距ベースのロケーションサービスのシグナリングプロセス８００を例示する図である。この例では、シグナリングプロセス８００には、ＵＥ８０２と、ターゲットＲＡＮノード８０４およびソースＲＡＮノード８０５を含むＲＡＮと、ＡＭＦ８０６と、ＬＭＦ８０８とが関与している。ＡＭＦ８０６およびＬＭＦ８０８は、コアネットワーク（例えば、ＣＮ３０４）の構成要素であり得る。これらのエンティティは、図１〜３において説明および例示されたものに類似し得る。一例では、これらのネットワークエンティティは、図７および図８に例示されたものと同じである。いくつかの例では、シグナリングプロセス８００は、以下で説明される機能またはアルゴリズムを実行するための任意の適切な装置または手段によって実行され得る。
【００９８】
[0098]この例では、ＵＥ８０２は、ＲＲＣ非アクティブモードにあって、同じＲＡＮエリア内の異なるＲＡＮノードの新しいカバレージエリア、セクタ、またはセルに（すなわち、ソースＲＡＮノードからターゲットＲＡＮノードに）移動した可能性がある。したがって、ＵＥ８０２がその測距レポート８１０をＲＡＮに送信するとき、測距レポートは、図７に関して上で説明された測距ベースのロケーションサービスセッションを開始した元のＲＡＮノード（すなわち、ソースＲＡＮノード８０５）とは異なるターゲットＲＡＮノード８０４によって受信され得る。このケースでは、ＵＥは、ソースＲＡＮからターゲットＲＡＮに遷移または切り替えた。いくつかの例では、ＲＡＮノードは、基地局、ｅＮＢ、またはｇＮＢであり得る。ターゲットＲＡＮノード８０４は、測距レポート８１２をソースＲＡＮノード８０５に転送し、ＬＭＦがロケーション結果をターゲットＲＡＮノードにどのように送り返すかを知ることができるように、ターゲットＲＡＮノードの自己ＩＤ（例えば、セルＩＤ）を含めることができる。
【００９９】
[0099]図８に関して説明されたプロセスと同様に、ソースＲＡＮノード８０５は、測距レポートを内部ＩＤベースの測距レポートにマッピングし、レポート８１４をＡＭＦ８０６に送信する。次いで、ＡＭＦ８０６は、ＬＭＦ８０８にレポート８１４を転送する。ＲＡＮノードは、ＬＭＦに宛てられた測位プロトコルメッセージ（例えば、ＮＰＰａ（測定結果））中に測距レポート８１４をカプセル化し得る。ＡＭＦは、ロケーション決定要求８１４中でＬＭＦにメッセージを転送し得る。
【０１００】
[0100]本開示のいくつかの態様では、ターゲットＲＡＮノード８０４は、ソースＲＡＮノードから内部ＩＤ対無線リソースマッピング情報を取得することができ、測距レポートを内部ＩＤベースの測距レポートにマッピングする。
【０１０１】
[0101]ＵＥの測距ベースの測定結果により、ＬＭＦ８０８は、ブロック８１５において、ＵＥのロケーションを算出し、ＡＭＦおよびＲＡＮを介してＵＥにロケーション結果を送り返すことができる。例えば、ＬＭＦ８０８は、ＲＡＮに宛てられた測位プロトコルメッセージ（例えば、ＮＰＰａ（ロケーション結果）として）中にカプセル化されたロケーション結果を含むロケーション応答８１６を送信することができる。ＡＭＦは、ＲＡＮに結果８１８を転送する。ＲＡＮがワイヤレス通信を使用してＵＥ８０２専用のロケーション結果８２０を送るとき、ロケーション結果は、ロケーション結果を受信し得る他のユーザによってＵＥのロケーションが追跡され得ないように、上の図７および図８に関して説明されたものと同様の外部ＩＤを使用して保護され得る。図８に関して説明されたプロセスとは異なり、ＬＭＦ８０８は、ソースＲＡＮノード８０５ではなくターゲットＲＡＮノード８０４にロケーション結果を送り返す。ターゲットＲＡＮノード８０４は、ＵＥがターゲットＲＡＮノードによってカバーされるエリアにおいて測距動作を実行することができるように、新しい無線リソース８２２をＵＥ８０２に割り振り得る。本開示のいくつかの態様では、ターゲットＲＡＮノードは、８１０において測距レポートを受信するとき、ソースＲＡＮノードからＵＥコンテキストをフェッチすることができる。このように、ターゲットＲＡＮノードは、測距レポートから内部ＩＤベースのレポートへの変換を実行し、それをＡＭＦに直接送ることができる。ＡＭＦ８０６およびＬＭＦ８０８によって実行される動作は、図８に関して上で説明されたものと実質的に類似するかまたは同一である。
【０１０２】
[0102]本開示のいくつかの態様では、ロケーション結果をターゲットＲＡＮノードに転送する代わりに、ＬＭＦは、ＲＡＮに、例えば、ＭＢＭＳブロードキャストまたは同様のものを使用して、ロケーション結果をブロードキャストまたはマルチキャストさせることができる。
【０１０３】
[0103]図１０は、本開示のいくつかの態様による、ワイヤレス通信ネットワークにおける測距ベースのロケーションサービスのシグナリングプロセス９００を例示する図である。この例では、シグナリングプロセス９００には、ＵＥ９０２と、ＲＡＮ９０４と、ＡＭＦ９０６と、ＬＭＦ９０８とが関与している。これらのエンティティは、図１〜３において説明および例示されたものに類似し得る。一例では、これらのネットワークエンティティは、図７〜９に例示されたものと同じである。いくつかの例では、シグナリングプロセス９００は、以下で説明される機能またはアルゴリズムを実行するための任意の適切な装置または手段によって実行され得る。
【０１０４】
[0104]この例では、ＵＥ９０２は、ＲＲＣアイドルモードにあり（すなわち、アクティブＲＲＣ接続ではなく）、ＲＡＮ９０４は、ＵＥ９０２のためのＵＥコンテキストをまだ有していない。したがって、ＵＥは、使用される無線リソースと、ＡＭＦ９０６によって割り振られるその外部ＩＤとを用いてその測距レポートを識別し得る。ＵＥ９０２は、ＮＡＳメッセージ中にカプセル化された外部ＩＤを伴う測距レポート９１０をＲＡＮ９０４に送信する。例えば、ＵＥは、ＬＭＦ９０８にルーティングされることが示される測位プロトコルメッセージ（例えば、ＮＰＰ（測距レポート，外部ＩＤ））中に測距レポート９１０をカプセル化し、送信し得る。ＲＡＮ９０４は、ＡＭＦ９０６にＮＰＰメッセージ９１２をルーティングし、ＡＭＦ９０６はさらに、ＬＭＦ９０８にＮＰＰメッセージ９１４をルーティングする。測距レポートにより、ＬＭＦ９０８は、ＵＥの測距レポートに基づいてＵＥのロケーションを決定することができる。
【０１０５】
[0105]ＵＥ９０２がアイドルモードにあるとき、ＵＥは、測距動作のためのリソースを導出するために、その外部ＩＤ、セルＩＤ、および／またはトラッキングエリア識別情報（ＴＡＩ）を使用することができる。一例では、ＵＥは、外部ＩＤ、セルＩＤ、もしくはＴＡＩ、それ自体のアンテナＩＤ、またはそれらの任意の組合せに対してハッシュ関数を適用し、ハッシュ関数の出力を使用して、測距動作のためのパラメータ（例えば、ＺＣシーケンスＩＤおよびリソースインデックス）を選択し得る。いくつかの例では、ＵＥは、ネットワークによってＩＤＬＥモードのＵＥの測距動作のために確保されたリソースプール内の無線リソースを選択し得る。例えば、ＲＡＮが、システム情報ブロック（ＳＩＢ）においてリソースプールを告知し得るか、または基地局（例えば、ｇＮＢ）が、ＵＥがＣＯＮＮＥＣＴＥＤモードにあったときにリソースプールを構成し得る。いくつかの例では、無線リソースは、プロビジョニングメカニズム（例えば、オープンモバイルアライアンス（ＯＭＡ）デバイス管理（ＤＭ）もしくはＵＥポリシ構成）を介して構成されるか、またはＵＥもしくはＵＭＴＳ加入者識別モジュール上で事前構成され得る。ＵＥ９０２は、ＲＲＣ接続モードに入ることなく、ＲＡＮ９０４およびＡＭＦ９０６を介してＬＭＦ９０８にレポートを送り得る。
【０１０６】
[0106]測距レポートに基づいて、ＬＭＦは、ブロック９１５において、ＵＥのロケーション結果を算出することができる。ＬＭＦは、ロケーション応答９１６中で、ＡＭＦにロケーション結果を送り得る。ロケーション結果は、ＲＡＮに宛てられた測位プロトコルメッセージ（例えば、ＮＰＰａ（ロケーション結果））中にカプセル化され得る。ＡＭＦは、複数のＲＡＮノード（例えば、ソースＲＡＮノードおよびターゲットＲＡＮノード）に結果９１８を転送することができる。次いで、ＲＡＮは、ワイヤレス通信を使用して、ＵＥ専用のロケーション結果９２０を送ることができる。外部ＩＤは、頻繁に変化するため、長期間にわたってユーザを追跡することが困難であることから、ロケーション結果は、ＵＥのロケーションが、ロケーション結果９２０を受信し得る他のユーザによって容易に追跡され得ないように、上の図７および図８に関して説明されたものと同様の外部ＩＤを使用してインデックス付けされ得る。いくつかの例では、ＲＡＮは、ＭＢＭＳまたは同様のものを使用してＵＥにロケーション結果をブロードキャストし得る。
【０１０７】
[0107]一例では、ＵＥ９０２は、ターゲットＲＡＮノードによってカバーされる新しいエリアに移動している可能性がある。そのケースでは、ターゲットＲＡＮノードは、ＵＥが、新しいＲＡＮノードによってカバーされるエリアにおいて測距動作を実行することができるように、新しい無線リソース８２２をＵＥに割り振り得る。
【０１０８】
[0108]図１１は、本開示のいくつかの態様による、測距無線リソースを割り振るためのプロセス１０００を例示するフローチャートである。プロセス１０００は、図７〜１０に関して上で説明されたＲＡＮによって実行され得る。本開示のいくつかの態様では、ＲＡＮは、測距ベースのロケーションサービスのためにＵＥに割り振られた無線リソースを漸進的に精緻化することができる。ブロック１００２において、ＲＡＮは、最初に、セルまたはＲＡＮエリア内のすべてのＵＥによる測距のために使用されるリソースプールを使用して、無線リソースをＵＥに割り振ることができる。ブロック１００４において、ＲＡＮは、ＵＥの測距レポートに基づいてＵＥロケーション結果を決定する。ブロック１００６において、ＵＥのロケーションが知られるかまたは推定されると、ＲＡＮは、より小さいエリア（例えば、セルまたはＲＡＮカバレージエリア内のセクタまたはゾーン）に固有のまたは排他的な測距リソースを割り振ることによって、無線リソース管理を改善することができる。より小さいエリアのためにリソースを割り振ることによって、セルまたはＲＡＮエリアの異なるエリアにおいてリソースを再使用することが可能である。いくつかの例では、ＬＭＦは、内部ＩＤ動作の一部として、ＵＥのロケーションに関して、ＲＡＮに通知することができる。
【０１０９】
[0109]図１２は、本開示のいくつかの態様による、測距ベースのロケーションサービスセッションの例示的なプロセス１１００を例示するフローチャートである。以下で説明されるように、いくつかまたはすべての例示された特徴は、本開示の範囲内の特定のインプリメンテーションでは省略され得、いくつかの例示された特徴は、すべての実施形態のインプリメンテーションに必要とは限らないであろう。いくつかの例では、プロセス１１００は、図５に例示されるスケジューリングエンティティ４００によって実行され得る。いくつかの例では、プロセス１１００は、以下で説明される機能またはアルゴリズムを実行するための任意の適切な装置または手段によって実行され得る。一例では、プロセス１１００は、無線アクセスネットワーク（ＲＡＮ）および／またはコアネットワークの１つまたは複数のノードによって実行され得る。
【０１１０】
[0110]ブロック１１０２において、ＲＡＮノードは、通信回路４４２／トランシーバ４１０（図４参照）を使用して、ＵＥから登録要求を受信し得る。登録要求は、ＵＥが測距ベースのロケーションサービスセッションをサポートすることができることを示し得る。例えば、ＲＡＮノード３０６（例えば、ｇＮＢ）は、図７に関して説明されたように、ＵＥから登録要求（例えば、ＮＡＳ登録６１０）を受信し得る。登録要求は、コアネットワークノード、例えば、アクセスおよびモビリティ管理機能（ＡＭＦ）３０５、に宛てられた非アクセス層（ＮＡＳ）メッセージ中に含まれる登録メッセージを送り得る。測距ベースのロケーションサービスセッションでは、ＵＥによって提供される測距データによって支援される様々な測位方法を使用してＵＥのロケーションを決定するために、コアネットワークのロケーション管理機能（ＬＭＦ）が選択され得る。
【０１１１】
[0111]ブロック１１０４において、ＲＡＮノードは、ＬＣＳ回路４４４（図４参照）を使用して、測距動作を実行するための無線リソースをＵＥに割り振り得る。測距動作は、ＵＥによって送信された測距信号を使用して、複数のＵＥの中のＵＥのペア間の距離を測定および／または決定することを伴い得る。無線リソースのいくつかの非限定的な例は、測距信号を送信するための時間周波数リソースおよびシーケンス（例えば、Ｚａｄｏｆｆ−Ｃｈｕ（ＺＣ）シーケンス）である。
【０１１２】
[0112]ブロック１１０６において、ＲＡＮノードは、通信回路４４２／トランシーバ４１０を使用して、測距ベースのロケーションサービスセッションをサポートするＬＭＦを選択するように構成されたＡＭＦに、登録要求に基づいてメッセージを送信または転送し得る。例えば、ＡＭＦ３０５は、測距動作に基づいてＵＥのロケーション結果を決定するように構成されたＬＭＦ３０８を選択し得る。いくつかの例では、ＬＭＦは、同じＲＡＮノードによってサービス提供されるエリア内の異なるＵＥから受信された測距レポートを使用して、ＵＥのロケーションを決定し得る。ＲＡＮノードは、ＬＭＦに宛てられた測位プロトコルメッセージ（例えば、ＮＰＰａ（Ｖ２Ｘ測距情報））中でＬＭＦに測距情報を提供し得る。
【０１１３】
[0113]ブロック１１０８において、ＲＡＮノードは、ＬＣＳ回路４４４を使用して、ＲＡＮにおいて送信されたＵＥのロケーション結果を識別するためのＡＭＦによって決定された外部ＩＤをＵＥに提供し得る。ロケーション結果は、１つまたは複数のＵＥからの測距動作の結果に基づいてＬＭＦによって決定され得る。ロケーション結果に関連する外部ＩＤを使用することは、ＵＥのアイデンティティを他のＵＥから保護し得る。いくつかの例では、外部ＩＤは、ＵＥが他のユーザによって短期間を超えて追跡され得る可能性を低くするために、ＡＭＦによって時々または周期的に更新され得る。
【０１１４】
[0114]ブロック１１１０において、ＲＡＮノードは通信回路４４２／トランシーバ４１０を使用して、測距ベースのロケーションサービスセッション中にＲＡＮノードとＬＭＦとの間でＵＥに関連する情報を識別するための内部ＩＤを受信し得る。図７〜１０に関して説明された内部ＩＤと同様に、ＬＭＦは、ＲＡＴ独立性を達成するために、ＲＡＮノードが使用するための内部ＩＤを割り振ることができる。
【０１１５】
[0115]ブロック１１１２において、ＲＡＮノードは、ＬＣＳ回路４４４を使用して、ＵＥを含む複数のデバイスが関与する測距動作を実行するための、内部ＩＤに関連する無線リソースをＵＥに割り振り得る。ブロック１１１４において、ＲＡＮノードは、ＬＣＳ回路４４４を使用して、測距動作を実行するための割り振られた無線リソースをＵＥに通知し得る。例えば、ＲＡＮノードは、ＵＥにメッセージを送信するために通信回路４４２／トランシーバ４１０を使用し得、ここで、メッセージは、測距動作のための割り振られた無線リソースを示す。
【０１１６】
[0116]図１３は、本開示のいくつかの態様による、測距ベースのロケーションサービスセッションの例示的なプロセス１２００を例示するフローチャートである。以下で説明されるように、いくつかまたはすべての例示された特徴は、本開示の範囲内で特定のインプリメンテーションでは省略され得、いくつかの例示された特徴は、すべての実施形態のインプリメンテーションに必要とは限らないであろう。いくつかの例では、プロセス１２００は、図６に例示される被スケジューリングエンティティ５００によって実行され得る。いくつかの例では、プロセス１２００は、以下で説明される機能またはアルゴリズムを実行するための任意の適切な装置または手段によって実行され得る。一例では、プロセス１２００は、図１〜４および図７〜１０に関して説明されたＵＥによって実行され得る。
【０１１７】
[0117]ブロック１２０２において、ＵＥは、通信回路５４２／トランシーバ５１０（図５参照）を使用して、ＵＥが測距ベースのロケーションサービスセッションをサポートすることを示す登録要求を無線アクセスネットワーク（ＲＡＮ）に送信する。一例では、登録要求は、図７で説明されたものと同様に、ＡＭＦに宛てられたＮＡＳメッセージ中に登録メッセージ６１０を含み得る。ブロック１２０４において、ＵＥは、通信回路５４２／トランシーバ５１０を使用して、測距動作を実行するための無線リソースの割振りを受信し得る。例えば、ＲＡＮノード（例えば、基地局またはｇＮＢ）は、Ｖ２Ｘ測距動作を実行するための特定の時間周波数リソースおよびシーケンス（例えば、ＺＣシーケンス）をＵＥに割り振り得る。
【０１１８】
[0118]ブロック１２０６において、ＵＥは、通信回路５４２／トランシーバ５１０を使用して、コアネットワーク、例えば、モビリティ管理機能（ＡＭＦ）、によって割り振られた外部ＩＤを受信し得る。外部ＩＤは、測距動作の測定結果に基づいてＬＭＦによって決定されたＵＥのロケーション結果を識別する。ブロック１２０８において、ＵＥは、通信回路５４２／トランシーバ５１０を使用して、測距ベースのロケーションサービスセッションの間に、コアネットワーク、例えば、ロケーション管理機能（ＬＭＦ）、によって生成されたロケーション結果を受信し得る。ＵＥは、その外部ＩＤを使用してそのロケーション結果を識別するために、ＬＣＳ回路４４４を使用し得る。いくつかの例では、ＬＭＦは、ＵＥに宛てられた測位プロトコルメッセージ（例えば、ＮＰＰａ（ロケーション結果））中でＡＭＦおよびＲＡＮを介してＵＥに外部ＩＤを割り振り、送信する。外部ＩＤは、そのロケーション結果が、例えば、他のユーザによっても受信され得るブロードキャストメッセージとして、ＲＡＮにおいて送信されるとき、ＵＥのアイデンティティを保護することができる。
【０１１９】
[0119]一構成では、ワイヤレス通信のための装置４００および／または５００は、図１〜１３に関して説明された機能およびプロセスを実行するように構成された様々な手段を含む。別の態様では、前述の手段は、前述の手段によって示された機能を実行するように構成された回路または任意の装置であり得る。
【０１２０】
[0120]本開示の一態様では、ＲＡＮノードは、ＵＥが測距ベースのロケーションサービスセッションをサポートすることを示す登録要求をＵＥから受信するための手段を提供する通信回路４４２／トランシーバ４１０を含む。通信回路４４２／トランシーバ４１０は、測距ベースのロケーションサービスセッション中に第１のＲＡＮノードとコアネットワークとの間の通信においてＵＥに関連する情報を識別するための内部ＩＤを受信するための手段をさらに提供する。ＲＡＮノードは、ＵＥを含む複数のデバイスが関与する測距ベースのロケーションサービスセッションにおいて、測距動作を実行するための無線リソースをＵＥに割り振り、この無線リソースを内部ＩＤに関連付けるための手段を提供するＬＣＳ回路４４４を含む。ＬＣＳ回路４４４は、測距動作を実行するための割り振られた無線リソースを示す登録応答をＵＥに提供するための手段を提供し得る。
【０１２１】
[0121]本開示の一態様では、ＵＥは、ＵＥが測距ベースのロケーションサービスセッションをサポートすることを示す登録要求をＲＡＮに送信するための手段を提供する通信回路５４２／トランシーバ５１０を含む。通信回路５４２／トランシーバ５１０は、測距ベースのロケーションサービスセッションにおいて、測距動作を実行するための無線リソースの割振りをＲＡＮから受信するための手段を提供し得る。ＬＣＳ回路５４４は、ロケーション結果を生成するために測距動作を実行するための手段を提供し得る。通信回路５４２／トランシーバ５１０は、ＲＡＮから外部識別子（ＩＤ）を受信するための手段を提供し得、ここで、外部ＩＤは、測距動作に基づいてＵＥのロケーション結果を識別するためにコアネットワークによって割り振られる。通信回路５４２／トランシーバ５１０は、測距ベースのロケーションサービスセッションにおいて、コアネットワークによって生成されたロケーション結果を受信するための手段を提供し得、ここで、ロケーション結果は、ＵＥに関連する外部ＩＤによって識別される。ＵＥは、外部ＩＤを使用してロケーション結果を識別するための手段としてＬＣＳ回路５４４を使用し得る。
【０１２２】
[0122]当然ながら、上の例では、プロセッサ４０４／５０４に含まれる回路は、単に例として提供され、説明された機能を実行するための他の手段が本開示の様々な態様内に含まれ得、それは、コンピュータ読取可能な記憶媒体４０６／５０６に記憶された命令または図１〜１０のうちの任意の１つにおいて説明された任意の他の適切な装置もしくは手段を含むがそれらに限定されず、例えば、図７〜１３に関して本明細書で説明されたプロセスおよび／またはアルゴリズムを利用する。
【０１２３】
[0123]ワイヤレス通信ネットワークのいくつかの態様は、例示的なインプリメンテーションを参照して提示されてきた。当業者が容易に認識するであろうように、本開示全体にわたって説明された様々な態様は、他の電気通信システム、ネットワークアーキテクチャ、および通信規格に拡張され得る。
【０１２４】
[0124]例として、様々な態様は、ロングタームエボリューション（ＬＴＥ）、発展型パケットシステム（ＥＰＳ）、ユニバーサルモバイル電気通信システム（ＵＭＴＳ）、および／またはモバイルのためのグローバルシステム（ＧＳＭ（登録商標））のような、３ＧＰＰによって定義される他のシステム内でインプリメントされ得る。様々な態様はまた、ＣＤＭＡ２０００および／または進化型データ最適化（ＥＶ−ＤＯ）のような、第３世代パートナーシッププロジェクト２（３ＧＰＰ２）によって定義されるシステムに拡張され得る。他の例は、ＩＥＥＥ８０２．１１（Ｗｉ−Ｆｉ）、ＩＥＥＥ８０２．１６（ＷｉＭＡＸ）、ＩＥＥＥ８０２．２０、超広帯域（ＵＷＢ）、ブルートゥース（登録商標）、および／または他の適切なシステムを用いるシステム内でインプリメントされ得る。用いられる実際の電気通信規格、ネットワークアーキテクチャ、および／または通信規格は、特定の用途およびシステムに課された設計制約全体に依存するであろう。
【０１２５】
[0125]本開示内では、「例示的」という単語は、「実例、事例、または例示としての役割を果たすこと」を意味するために使用される。「例示的」として本明細書で説明された任意のインプリメンテーションまたは態様は、必ずしも、本開示の他の態様より好ましい、または有利であると解釈されるべきではない。同様に、「態様」という用語は、本開示のすべての態様が、説明された特徴、利点、または動作モードを含むことを必要としない。「結合される（coupled）」という用語は、本明細書では、２つのオブジェクト間の直接的または間接的な結合を指すために使用される。例えば、オブジェクトＡがオブジェクトＢに物理的に接触しており、オブジェクトＢがオブジェクトＣに接触している場合、オブジェクトＡとＣとは、それらが直接物理的には互いに接触していなくても、依然として、互いに結合しているとみなされ得る。例えば、第１のオブジェクトは、第１のオブジェクトが一度も第２のオブジェクトと物理的に直接接触していなくても、第２の物体に結合されているであろう。「回路（circuit）」および「回路（circuitry）」という用語は、広義に使用され、接続および構成されたときに、電子回路のタイプに制限なく、本開示で説明された機能の実行を可能にする電気デバイスおよび導体のハードウェアインプリメンテーションと、プロセッサによって実行されたときに、本開示で説明された機能の実行を可能にする情報および命令のソフトウェアインプリメンテーションとの両方を含むよう意図される。
【０１２６】
[0126]図１〜１２に例示された構成要素、ステップ、特徴、および／または機能のうちの１つまたは複数は、単一の構成要素、ステップ、特徴、または機能に再構成および／または組み合わせられるか、またはいくつかの構成要素、ステップ、または機能に具現化され得る。追加のエレメント、構成要素、ステップ、および／または機能も、本明細書で開示される新規の特徴から逸脱することなく追加され得る。図１〜１２に例示された装置、デバイス、および／または構成要素は、本明細書で説明される方法、特徴、またはステップのうちの１つまたは複数を実行するように構成され得る。本明細書で説明される新規のアルゴリズムはまた、ソフトウェアで効率的にインプリメントされ、および／またはハードウェアに組み込まれ得る。
【０１２７】
[0127]開示された方法におけるステップの特定の順序または階層が例示的なプロセスの例示であることは理解されるべきである。設計の選好に基づいて、これらの方法におけるステップの特定の順序または階層が並べ替えられ得ることは理解されるべきである。添付の方法の請求項は、様々なステップのエレメントを例示的な順序で提示し、本明細書に明記されていない限り、提示された特定の順序または階層に限られることを意図しない。
【０１２８】
[0128]先の説明は、当業者が本明細書で説明された様々な態様を実施することを可能にするために提供される。これらの態様に対する様々な修正は、当業者には容易に明らかとなり、本明細書で定義された包括的な原理は、他の態様に適用され得る。ゆえに、特許請求の範囲は、本明細書に示された態様に限定されることが意図されたものではなく、特許請求の範囲における文言と一致する全範囲が付与されるべきものであり、ここにおいて、単数形のエレメントへの参照は、別途明記されていない限り、「１つおよび１つだけ（one and only one）」を意味することを意図しておらず、むしろ「１つまたは複数（one or more）」を意味する。別途明記されていない限り、「何らかの／いくつかの」という用語は、１つまたは複数を指す。項目のリストのうちの「少なくとも１つ」を指す表現は、単一のメンバを含む、それらの項目のうちの任意の組合せを指す。例として、「ａ、ｂ、またはｃのうちの少なくとも１つ」は、ａ、ｂ、ｃ、ａとｂ、ａとｃ、ｂとｃ、およびａとｂとｃをカバーすることが意図される。当業者に知られているかまたは後に知られることとなる、本開示全体にわたって説明された様々な態様のエレメントと構造的および機能的に同等なものはすべて、参照によって本明細書に明確に組み込まれ、特許請求の範囲によって包含されることが意図されている。さらに、本明細書におけるどの開示も、そのような開示が特許請求の範囲に明示的に記載されているかどうかに関わらず、公衆に献呈されることを意図するものではない。
【図１】
2021509798.tif 000003
【図２】
2021509798.tif 000004
【図３】
2021509798.tif 000005
【図４】
2021509798.tif 000006
【図５】
2021509798.tif 000007
【図６】
2021509798.tif 000008
【図７】
2021509798.tif 000009
【図８】
2021509798.tif 000010
【図９】
2021509798.tif 000011
【図１０】
2021509798.tif 000012
【図１１】
2021509798.tif 000013
【図１２】
2021509798.tif 000014
【図１３】
2021509798.tif 000015
【手続補正書】
【提出日】令和3年1月5日(2021.1.5)
【手続補正１】
【補正対象書類名】特許請求の範囲
【補正対象項目名】全文
【補正方法】変更
【補正の内容】
【特許請求の範囲】
【請求項１】
ワイヤレス通信において第１の無線アクセスネットワーク（ＲＡＮ）ノードを備えるＲＡＮにおいてロケーションサービスを提供する方法であって、
ユーザ機器（ＵＥ）が測距ベースのロケーションサービスセッションをサポートすることを示す要求を前記ＵＥから受信することと、
前記測距ベースのロケーションサービスセッション中に前記第１のＲＡＮノードとコアネットワークとの間で前記ＵＥに関連する情報を識別するために前記コアネットワークによって割り振られた内部識別子（ＩＤ）を受信することと、
前記ＵＥを含む複数のデバイスが関与する前記測距ベースのロケーションサービスセッションにおいて、測距動作において測距信号を送信するための、前記内部ＩＤに関連する無線リソースを前記ＵＥに割り振ることと、
前記測距動作を実行するために割り振られた前記無線リソースを示す応答を前記ＵＥに送信することと
を備える方法。
【請求項２】
前記コアネットワーク内のコアネットワークエンティティに前記要求を転送することと、ここで、前記コアネットワークエンティティは、前記測距ベースのロケーションサービスセッションをサポートする前記コアネットワーク内のロケーション管理機能（ＬＭＦ）を選択するように構成される、
前記ＲＡＮによって送信された前記ＵＥのロケーション結果を識別するために前記コアネットワークエンティティによって決定された外部識別子（ＩＤ）を示すメッセージを前記ＵＥに送信することと
をさらに備える、請求項１に記載の方法。
【請求項３】
前記測距動作によって生成されたリソースベースの測距レポートを前記ＵＥから受信することと、ここで、前記リソースベースの測距レポートは、前記複数のデバイスに割り振られる無線リソースによってインデックス付けされた測距結果を備える、
前記リソースベースの測距レポートを内部ＩＤベースの測距レポートに変換することと、ここで、前記内部ＩＤベースの測距レポートは、前記複数のデバイスに関連する内部ＩＤによってインデックス付けされた前記測距結果を備える、
前記ＬＭＦに前記内部ＩＤベースの測距レポートを送信することと
をさらに備える、請求項２に記載の方法。
【請求項４】
前記ＬＭＦから前記ロケーション結果を受信することと、
前記外部ＩＤによって識別された前記ロケーション結果を前記ＵＥに送信することと
をさらに備える、請求項３に記載の方法。
【請求項５】
前記リソースベースの測距レポートを前記受信することは、
第２のＲＡＮノードにおいて前記リソースベースの測距レポートを受信することと、
前記ＵＥから前記要求を最初に受信した前記第１のＲＡＮノードに前記リソースベースの測距レポートを転送することと
を備える、請求項３に記載の方法。
【請求項６】
前記ＲＡＮに含まれる第２のＲＡＮノードにおいて、前記リソースベースの測距レポートを受信することと、
前記第２のＲＡＮノードにおいて、前記リソースベースの測距レポートを前記内部ＩＤベースの測距レポートに変換するために、前記第１のＲＡＮノードから内部ＩＤ対無線リソースマッピング情報を受信することと
をさらに備える、請求項３に記載の方法。
【請求項７】
前記測距動作によって生成されたリソースベースの測距レポートを、アイドルモードにある前記ＵＥから受信することと、ここで、前記リソースベースの測距レポートは、前記ＵＥの前記外部ＩＤを備える測位プロトコルメッセージ中にカプセル化される、
前記リソースベースの測距レポートを含む前記測位プロトコルメッセージを前記ＬＭＦに送信することと
をさらに備える、請求項２に記載の方法。
【請求項８】
前記ロケーション結果を備える測位プロトコルメッセージを前記ＬＭＦから受信することと、
前記外部ＩＤによって識別された前記ロケーション結果を前記ＵＥに送信することと
をさらに備える、請求項７に記載の方法。
【請求項９】
前記ＵＥが前記第１のＲＡＮノードから前記ＲＡＮの第２のＲＡＮノードに遷移することに応答して、内部ＩＤ更新を前記コアネットワークから受信すること
をさらに備える、請求項１に記載の方法。
【請求項１０】
前記無線リソースを割り振ることは、
第１のエリアにおいて前記測距動作を実行するための第１の無線リソースを前記ＵＥに割り振ることと、
前記第１の無線リソースを使用して決定されたロケーション結果に基づいて、前記第１のエリアより小さい第２のエリアにおいて前記測距動作を実行するための第２の無線リソースを前記ＵＥに割り振ることと
を備える、請求項１に記載の方法。
【請求項１１】
通信ネットワークにおいてユーザ機器（ＵＥ）を動作する方法であって、
前記ＵＥが測距ベースのロケーションサービスセッションをサポートすることを示す要求を無線アクセスネットワーク（ＲＡＮ）に送信することと、
前記測距ベースのロケーションサービスセッションにおいて、測距動作において測距信号を送信するための無線リソースの割振りを前記ＲＡＮから受信することと、
前記ＲＡＮから外部識別子（ＩＤ）を受信することと、ここで、前記外部ＩＤは、前記測距動作に基づいて前記ＵＥのロケーション結果を識別するためにコアネットワークによって割り振られる、
前記測距ベースのロケーションサービスセッションにおいて、前記コアネットワークによって生成された前記ロケーション結果を受信することと、ここで、前記ロケーション結果は、前記ＵＥに関連する前記外部ＩＤによって識別される、
を備える方法。
【請求項１２】
測距レポートを生成するために前記測距動作を実行することと、
前記測距レポートを前記ＲＡＮに送信することと
をさらに備え、ここで、前記測距レポートは、前記測距動作に関連する到着時間（ＴＯＡ）データ、シーケンスＩＤ、または無線リソースインデックスのうちの少なくとも１つを備える、
請求項１１に記載の方法。
【請求項１３】
前記コアネットワークにおいてロケーション管理機能（ＬＭＦ）に宛てられた測位プロトコルメッセージ中に前記測距レポートをカプセル化することをさらに備え、前記ＬＭＦは、前記測距レポートに基づいて前記ロケーション結果を決定するように構成される、請求項１２に記載の方法。
【請求項１４】
前記測距レポートを前記送信することは、前記ＵＥが前記ＲＡＮとのアクティブ接続のない無線リソース制御（ＲＲＣ）アイドルモードにある間に前記測距レポートを送信することを備える、請求項１２に記載の方法。
【請求項１５】
測位プロトコルメッセージ中に前記測距レポートおよび前記外部ＩＤをカプセル化することをさらに備える、請求項１２に記載の方法。
【請求項１６】
前記ロケーション結果を前記受信することは、
前記ロケーション結果を備える前記ＵＥへの専用メッセージを受信すること、または
前記ロケーション結果を備えるブロードキャストメッセージを受信すること
を備える、請求項１１に記載の方法。
【請求項１７】
前記要求を前記ＲＡＮの第１のＲＡＮノードに送信することと、
前記ロケーション結果を前記第１のＲＡＮノードとは異なる前記ＲＡＮの第２のＲＡＮノードから受信することと
をさらに備える、請求項１１に記載の方法。
【請求項１８】
前記測距動作を実行するための無線リソースの割振りを前記第２のＲＡＮノードから受信すること
をさらに備える、請求項１７に記載の方法。
【請求項１９】
前記要求を前記ＲＡＮの第１のＲＡＮノードに送信することと、
前記第１のＲＡＮノードから前記ＲＡＮの第２のＲＡＮノードに遷移することと、
測距レポートを前記第２のＲＡＮノードに送信することと
をさらに備える、請求項１１に記載の方法。
【請求項２０】
無線アクセスネットワークの第１の無線アクセスネットワーク（ＲＡＮ）ノードであって、
ワイヤレス通信のために構成された通信インターフェースと、
メモリと、
前記通信インターフェースおよび前記メモリに動作可能に結合されたプロセッサと
を備え、
前記プロセッサおよび前記メモリは、
ユーザ機器（ＵＥ）が測距ベースのロケーションサービスセッションをサポートすることを示す要求を前記ＵＥから受信することと、
前記測距ベースのロケーションサービスセッション中に前記第１のＲＡＮノードとコアネットワークとの間で前記ＵＥに関連する情報を識別するために前記コアネットワークによって割り振られた内部識別子（ＩＤ）を受信することと、
前記ＵＥを含む複数のデバイスが関与する前記測距ベースのロケーションサービスセッションにおいて、測距動作において測距信号を送信するための、前記内部ＩＤに関連する無線リソースを前記ＵＥに割り振ることと、
前記測距動作を実行するために割り振られた前記無線リソースを示す応答を前記ＵＥに送信することと
を行うように構成される、第１のＲＡＮノード。
【請求項２１】
前記プロセッサおよび前記メモリは、
前記コアネットワーク内のコアネットワークエンティティに前記要求を転送することと、ここで、前記コアネットワークエンティティは、前記測距ベースのロケーションサービスセッションをサポートする前記コアネットワーク内のロケーション管理機能（ＬＭＦ）を選択するように構成される、
前記ＲＡＮによって送信された前記ＵＥのロケーション結果を識別するために前記コアネットワークエンティティによって決定された外部識別子（ＩＤ）を示すメッセージを前記ＵＥに送信することと
を行うようにさらに構成される、請求項２０に記載の第１のＲＡＮノード。
【請求項２２】
前記プロセッサおよび前記メモリは、
前記測距動作によって生成されたリソースベースの測距レポートを前記ＵＥから受信することと、ここで、前記リソースベースの測距レポートは、前記複数のデバイスに割り振られる無線リソースによってインデックス付けされた測距結果を備える、
前記リソースベースの測距レポートを内部ＩＤベースの測距レポートに変換することと、ここで、前記内部ＩＤベースの測距レポートは、前記複数のデバイスに関連する内部ＩＤによってインデックス付けされた前記測距結果を備える、
前記ＬＭＦに前記内部ＩＤベースの測距レポートを送信することと
を行うようにさらに構成される、請求項２１に記載の第１のＲＡＮノード。
【請求項２３】
前記プロセッサおよび前記メモリは、
前記ＬＭＦから前記ロケーション結果を受信することと、
前記外部ＩＤによって識別された前記ロケーション結果を前記ＵＥに送信することと
を行うようにさらに構成される、請求項２２に記載の第１のＲＡＮノード。
【請求項２４】
前記プロセッサおよび前記メモリは、
前記無線アクセスネットワークの第２のＲＡＮノードによって転送される前記リソースベースの測距レポートを受信する
ようにさらに構成される、請求項２２に記載の第１のＲＡＮノード。
【請求項２５】
前記プロセッサおよび前記メモリは、
前記リソースベースの測距レポートを内部ＩＤベースの測距レポートにマッピングするために、前記リソースベースの測距レポートを受信した前記第２のＲＡＮノードにマッピング情報を送信する
ようにさらに構成される、請求項２４に記載の第１のＲＡＮノード。
【請求項２６】
前記プロセッサおよび前記メモリは、
前記測距動作によって生成されたリソースベースの測距レポートを、アイドルモードにある前記ＵＥから受信することと、ここで、前記リソースベースの測距レポートは、前記ＵＥの前記外部ＩＤを備える測位プロトコルメッセージ中にカプセル化される、
前記リソースベースの測距レポートを含む前記測位プロトコルメッセージを前記ＬＭＦに送信することと
を行うようにさらに構成される、請求項２１に記載の第１のＲＡＮノード。
【請求項２７】
前記プロセッサおよび前記メモリは、
前記ロケーション結果を備える測位プロトコルメッセージを前記ＬＭＦから受信することと、
前記外部ＩＤによって識別された前記ロケーション結果を前記ＵＥに送信することと
を行うようにさらに構成される、請求項２６に記載の第１のＲＡＮノード。
【請求項２８】
前記プロセッサおよび前記メモリは、
前記ＵＥが前記第１のＲＡＮノードから前記ＲＡＮの第２のＲＡＮノードに遷移することに応答して、内部ＩＤ更新を前記コアネットワークから受信する
ようにさらに構成される、請求項２０に記載の第１のＲＡＮノード。
【請求項２９】
前記プロセッサおよび前記メモリは、
第１のエリアにおいて前記測距動作を実行するための第１の無線リソースを前記ＵＥに割り振ることと、
前記第１の無線リソースを使用して決定されたロケーション結果に基づいて、前記第１のエリアより小さい第２のエリアにおいて前記測距動作を実行するための第２の無線リソースを前記ＵＥに割り振ることと
を行うようにさらに構成される、請求項２０に記載の第１のＲＡＮノード。
【請求項３０】
通信ネットワークにおけるユーザ機器（ＵＥ）であって、
ワイヤレス通信のために構成された通信インターフェースと、
メモリと、
前記通信インターフェースおよび前記メモリに動作可能に結合されたプロセッサと
を備え、
前記プロセッサおよび前記メモリは、
前記ＵＥが測距ベースのロケーションサービスセッションをサポートすることを示す要求を無線アクセスネットワーク（ＲＡＮ）に送信することと、
前記測距ベースのロケーションサービスセッションにおいて、測距動作において測距信号を送信するための無線リソースの割振りを前記ＲＡＮから受信することと、
外部識別子（ＩＤ）を前記ＲＡＮから受信することと、ここで、前記外部ＩＤは、前記測距動作に基づいて前記ＵＥのロケーション結果を識別するためにコアネットワークによって割り振られる、
前記測距ベースのロケーションサービスセッションにおいて、前記コアネットワークによって生成された前記ロケーション結果を受信することと、ここで、前記ロケーション結果は、前記ＵＥに関連する前記外部ＩＤによって識別される、
を行うように構成される、ＵＥ。
【請求項３１】
前記プロセッサおよび前記メモリは、
測距レポートを生成するために前記測距動作を実行することと、
前記測距レポートを前記ＲＡＮに送信することと
を行うようにさらに構成され、ここで、前記測距レポートは、前記測距動作に関連する到着時間（ＴＯＡ）データ、シーケンスＩＤ、または無線リソースインデックスのうちの少なくとも１つを備える、
請求項３０に記載のＵＥ。
【請求項３２】
前記プロセッサおよび前記メモリは、
前記コアネットワークにおいてロケーション管理機能（ＬＭＦ）に宛てられた測位プロトコルメッセージ中に前記測距レポートをカプセル化するようにさらに構成され、前記ＬＭＦは、前記測距レポートに基づいて前記ロケーション結果を決定するように構成される、
請求項３１に記載のＵＥ。
【請求項３３】
前記プロセッサおよび前記メモリは、
前記ＵＥが前記ＲＡＮとのアクティブ接続のない無線リソース制御（ＲＲＣ）アイドルモードにある間に前記測距レポートを送信する
ようにさらに構成される、請求項３１に記載のＵＥ。
【請求項３４】
前記プロセッサおよび前記メモリは、
測位プロトコルメッセージ中に前記測距レポートおよび前記外部ＩＤをカプセル化する
ようにさらに構成される、請求項３１に記載のＵＥ。
【請求項３５】
前記プロセッサおよび前記メモリは、
前記ロケーション結果を備える前記ＵＥへの専用メッセージを受信すること、または
前記ロケーション結果を備えるブロードキャストメッセージを受信すること
を行うようにさらに構成される、請求項３０に記載のＵＥ。
【請求項３６】
前記プロセッサおよび前記メモリは、
前記要求を前記ＲＡＮの第１のＲＡＮノードに送信することと、
前記ロケーション結果を前記第１のＲＡＮノードとは異なる前記ＲＡＮの第２のＲＡＮノードから受信することと
を行うようにさらに構成される、請求項３０に記載のＵＥ。
【請求項３７】
前記プロセッサおよび前記メモリは、
前記測距動作を実行するための無線リソースの割振りを前記第２のＲＡＮノードから受信する
ようにさらに構成される、請求項３６に記載のＵＥ。
【請求項３８】
前記プロセッサおよび前記メモリは、
前記要求を前記ＲＡＮの第１のＲＡＮノードに送信することと、
前記第１のＲＡＮノードから前記ＲＡＮの第２のＲＡＮノードに遷移することと、
測距レポートを前記第２のＲＡＮノードに送信することと
を行うようにさらに構成される、請求項３０に記載のＵＥ。
【手続補正２】
【補正対象書類名】明細書
【補正対象項目名】０１２８
【補正方法】変更
【補正の内容】
【０１２８】
[0128]先の説明は、当業者が本明細書で説明された様々な態様を実施することを可能にするために提供される。これらの態様に対する様々な修正は、当業者には容易に明らかとなり、本明細書で定義された包括的な原理は、他の態様に適用され得る。ゆえに、特許請求の範囲は、本明細書に示された態様に限定されることが意図されたものではなく、特許請求の範囲における文言と一致する全範囲が付与されるべきものであり、ここにおいて、単数形のエレメントへの参照は、別途明記されていない限り、「１つおよび１つだけ（one and only one）」を意味することを意図しておらず、むしろ「１つまたは複数（one or more）」を意味する。別途明記されていない限り、「何らかの／いくつかの」という用語は、１つまたは複数を指す。項目のリストのうちの「少なくとも１つ」を指す表現は、単一のメンバを含む、それらの項目のうちの任意の組合せを指す。例として、「ａ、ｂ、またはｃのうちの少なくとも１つ」は、ａ、ｂ、ｃ、ａとｂ、ａとｃ、ｂとｃ、およびａとｂとｃをカバーすることが意図される。当業者に知られているかまたは後に知られることとなる、本開示全体にわたって説明された様々な態様のエレメントと構造的および機能的に同等なものはすべて、参照によって本明細書に明確に組み込まれ、特許請求の範囲によって包含されることが意図されている。さらに、本明細書におけるどの開示も、そのような開示が特許請求の範囲に明示的に記載されているかどうかに関わらず、公衆に献呈されることを意図するものではない。
以下に本願発明の当初の特許請求の範囲に記載された発明を付記する。
［Ｃ１］
ワイヤレス通信において第１の無線アクセスネットワーク（ＲＡＮ）ノードを備えるＲＡＮにおいてロケーションサービスを提供する方法であって、
ユーザ機器（ＵＥ）が測距ベースのロケーションサービスセッションをサポートすることを示す要求を前記ＵＥから受信することと、
前記測距ベースのロケーションサービスセッション中に前記第１のＲＡＮノードとコアネットワークとの間で前記ＵＥに関連する情報を識別するための内部識別子（ＩＤ）を受信することと、
前記ＵＥを含む複数のデバイスが関与する前記測距ベースのロケーションサービスセッションにおいて、測距動作を実行するための、前記内部ＩＤに関連する無線リソースを前記ＵＥに割り振ることと、
前記測距動作を実行するために割り振られた前記無線リソースを示す応答を前記ＵＥに送信することと
を備える方法。
［Ｃ２］
前記コアネットワーク内のコアネットワークエンティティに前記要求を転送することと、ここで、前記コアネットワークエンティティは、前記測距ベースのロケーションサービスセッションをサポートする前記コアネットワーク内のロケーション管理機能（ＬＭＦ）を選択するように構成される、
前記ＲＡＮによって送信された前記ＵＥのロケーション結果を識別するために前記コアネットワークエンティティによって決定された外部識別子（ＩＤ）を示すメッセージを前記ＵＥに送信することと
をさらに備える、Ｃ１に記載の方法。
［Ｃ３］
前記測距動作によって生成されたリソースベースの測距レポートを前記ＵＥから受信することと、ここで、前記リソースベースの測距レポートは、前記複数のデバイスに割り振られる無線リソースによってインデックス付けされた測距結果を備える、
前記リソースベースの測距レポートを内部ＩＤベースの測距レポートに変換することと、ここで、前記内部ＩＤベースの測距レポートは、前記複数のデバイスに関連する内部ＩＤによってインデックス付けされた前記測距結果を備える、
前記ＬＭＦに前記内部ＩＤベースの測距レポートを送信することと
をさらに備える、Ｃ２に記載の方法。
［Ｃ４］
前記ＬＭＦから前記ロケーション結果を受信することと、
前記外部ＩＤによって識別された前記ロケーション結果を前記ＵＥに送信することと
をさらに備える、Ｃ３に記載の方法。
［Ｃ５］
前記リソースベースの測距レポートを前記受信することは、
第２のＲＡＮノードにおいて前記リソースベースの測距レポートを受信することと、
前記ＵＥから前記要求を最初に受信した前記第１のＲＡＮノードに前記リソースベースの測距レポートを転送することと
を備える、Ｃ３に記載の方法。
［Ｃ６］
前記ＲＡＮに含まれる第２のＲＡＮノードにおいて、前記リソースベースの測距レポートを受信することと、
前記第２のＲＡＮノードにおいて、前記リソースベースの測距レポートを前記内部ＩＤベースの測距レポートに変換するために、前記第１のＲＡＮノードから内部ＩＤ対無線リソースマッピング情報を受信することと
をさらに備える、Ｃ３に記載の方法。
［Ｃ７］
前記測距動作によって生成されたリソースベースの測距レポートを、アイドルモードにある前記ＵＥから受信することと、ここで、前記リソースベースの測距レポートは、前記ＵＥの前記外部ＩＤを備える測位プロトコルメッセージ中にカプセル化される、
前記リソースベースの測距レポートを含む前記測位プロトコルメッセージを前記ＬＭＦに送信することと
をさらに備える、Ｃ２に記載の方法。
［Ｃ８］
前記ロケーション結果を備える測位プロトコルメッセージを前記ＬＭＦから受信することと、
前記外部ＩＤによって識別された前記ロケーション結果を前記ＵＥに送信することと
をさらに備える、Ｃ７に記載の方法。
［Ｃ９］
前記ＵＥが前記第１のＲＡＮノードから前記ＲＡＮの第２のＲＡＮノードに遷移することに応答して、内部ＩＤ更新を前記コアネットワークから受信すること
をさらに備える、Ｃ１に記載の方法。
［Ｃ１０］
前記無線リソースを割り振ることは、
第１のエリアにおいて前記測距動作を実行するための第１の無線リソースを前記ＵＥに割り振ることと、
前記第１の無線リソースを使用して決定されたロケーション結果に基づいて、前記第１のエリアより小さい第２のエリアにおいて前記測距動作を実行するための第２の無線リソースを前記ＵＥに割り振ることと
を備える、Ｃ１に記載の方法。
［Ｃ１１］
通信ネットワークにおいてユーザ機器（ＵＥ）を動作する方法であって、
前記ＵＥが測距ベースのロケーションサービスセッションをサポートすることを示す要求を無線アクセスネットワーク（ＲＡＮ）に送信することと、
前記測距ベースのロケーションサービスセッションにおいて、測距動作を実行するための無線リソースの割振りを前記ＲＡＮから受信することと、
前記ＲＡＮから外部識別子（ＩＤ）を受信することと、ここで、前記外部ＩＤは、前記測距動作に基づいて前記ＵＥのロケーション結果を識別するためにコアネットワークによって割り振られる、
前記測距ベースのロケーションサービスセッションにおいて、前記コアネットワークによって生成された前記ロケーション結果を受信することと、ここで、前記ロケーション結果は、前記ＵＥに関連する前記外部ＩＤによって識別される、
を備える方法。
［Ｃ１２］
測距レポートを生成するために前記測距動作を実行することと、
前記測距レポートを前記ＲＡＮに送信することと
をさらに備え、ここで、前記測距レポートは、前記測距動作に関連する到着時間（ＴＯＡ）データ、シーケンスＩＤ、または無線リソースインデックスのうちの少なくとも１つを備える、
Ｃ１２に記載の方法。
［Ｃ１３］
前記コアネットワークにおいてロケーション管理機能（ＬＭＦ）に宛てられた測位プロトコルメッセージ中に前記測距レポートをカプセル化することをさらに備え、前記ＬＭＦは、前記測距レポートに基づいて前記ロケーション結果を決定するように構成される、Ｃ１３に記載の方法。
［Ｃ１４］
前記測距レポートを前記送信することは、前記ＵＥが前記ＲＡＮとのアクティブ接続のない無線リソース制御（ＲＲＣ）アイドルモードにある間に前記測距レポートを送信することを備える、Ｃ１３に記載の方法。
［Ｃ１５］
測位プロトコルメッセージ中に前記測距レポートおよび前記外部ＩＤをカプセル化することをさらに備える、Ｃ１５に記載の方法。
［Ｃ１６］
前記ロケーション結果を前記受信することは、
前記ロケーション結果を備える前記ＵＥへの専用メッセージを受信すること、または
前記ロケーション結果を備えるブロードキャストメッセージを受信すること
を備える、Ｃ１２に記載の方法。
［Ｃ１７］
前記要求を前記ＲＡＮの第１のＲＡＮノードに送信することと、
前記ロケーション結果を前記第１のＲＡＮノードとは異なる前記ＲＡＮの第２のＲＡＮノードから受信することと
をさらに備える、Ｃ１２に記載の方法。
［Ｃ１８］
前記測距動作を実行するための無線リソースの割振りを前記第２のＲＡＮノードから受信すること
をさらに備える、Ｃ１８に記載の方法。
［Ｃ１９］
前記要求を前記ＲＡＮの第１のＲＡＮノードに送信することと、
前記第１のＲＡＮノードから前記ＲＡＮの第２のＲＡＮノードに遷移することと、
測距レポートを前記第２のＲＡＮノードに送信することと
をさらに備える、Ｃ１２に記載の方法。
［Ｃ２０］
無線アクセスネットワークの第１の無線アクセスネットワーク（ＲＡＮ）ノードであって、
ワイヤレス通信のために構成された通信インターフェースと、
メモリと、
前記通信インターフェースおよび前記メモリに動作可能に結合されたプロセッサと
を備え、
前記プロセッサおよび前記メモリは、
ユーザ機器（ＵＥ）が測距ベースのロケーションサービスセッションをサポートすることを示す要求を前記ＵＥから受信することと、
前記測距ベースのロケーションサービスセッション中に前記第１のＲＡＮノードとコアネットワークとの間で前記ＵＥに関連する情報を識別するための内部識別子（ＩＤ）を受信することと、
前記ＵＥを含む複数のデバイスが関与する前記測距ベースのロケーションサービスセッションにおいて、測距動作を実行するための、前記内部ＩＤに関連する無線リソースを前記ＵＥに割り振ることと、
前記測距動作を実行するために割り振られた前記無線リソースを示す応答を前記ＵＥに送信することと
を行うように構成される、第１のＲＡＮノード。
［Ｃ２１］
前記プロセッサおよび前記メモリは、
前記コアネットワーク内のコアネットワークエンティティに前記要求を転送することと、ここで、前記コアネットワークエンティティは、前記測距ベースのロケーションサービスセッションをサポートする前記コアネットワーク内のロケーション管理機能（ＬＭＦ）を選択するように構成される、
前記ＲＡＮによって送信された前記ＵＥのロケーション結果を識別するために前記コアネットワークエンティティによって決定された外部識別子（ＩＤ）を示すメッセージを前記ＵＥに送信することと
を行うようにさらに構成される、Ｃ２１に記載の第１のＲＡＮノード。
［Ｃ２２］
前記プロセッサおよび前記メモリは、
前記測距動作によって生成されたリソースベースの測距レポートを前記ＵＥから受信することと、ここで、前記リソースベースの測距レポートは、前記複数のデバイスに割り振られる無線リソースによってインデックス付けされた測距結果を備える、
前記リソースベースの測距レポートを内部ＩＤベースの測距レポートに変換することと、ここで、前記内部ＩＤベースの測距レポートは、前記複数のデバイスに関連する内部ＩＤによってインデックス付けされた前記測距結果を備える、
前記ＬＭＦに前記内部ＩＤベースの測距レポートを送信することと
を行うようにさらに構成される、Ｃ２２に記載の第１のＲＡＮノード。
［Ｃ２３］
前記プロセッサおよび前記メモリは、
前記ＬＭＦから前記ロケーション結果を受信することと、
前記外部ＩＤによって識別された前記ロケーション結果を前記ＵＥに送信することと
を行うようにさらに構成される、Ｃ２３に記載の第１のＲＡＮノード。
［Ｃ２４］
前記プロセッサおよび前記メモリは、
前記無線アクセスネットワークの第２のＲＡＮノードによって転送される前記リソースベースの測距レポートを受信する
ようにさらに構成される、Ｃ２３に記載の第１のＲＡＮノード。
［Ｃ２５］
前記プロセッサおよび前記メモリは、
前記リソースベースの測距レポートを内部ＩＤベースの測距レポートにマッピングするために、前記リソースベースの測距レポートを受信した前記第２のＲＡＮノードにマッピング情報を送信する
ようにさらに構成される、Ｃ２５に記載の第１のＲＡＮノード。
［Ｃ２６］
前記プロセッサおよび前記メモリは、
前記測距動作によって生成されたリソースベースの測距レポートを、アイドルモードにある前記ＵＥから受信することと、ここで、前記リソースベースの測距レポートは、前記ＵＥの前記外部ＩＤを備える測位プロトコルメッセージ中にカプセル化される、
前記リソースベースの測距レポートを含む前記測位プロトコルメッセージを前記ＬＭＦに送信することと
を行うようにさらに構成される、Ｃ２２に記載の第１のＲＡＮノード。
［Ｃ２７］
前記プロセッサおよび前記メモリは、
前記ロケーション結果を備える測位プロトコルメッセージを前記ＬＭＦから受信することと、
前記外部ＩＤによって識別された前記ロケーション結果を前記ＵＥに送信することと
を行うようにさらに構成される、Ｃ２７に記載の第１のＲＡＮノード。
［Ｃ２８］
前記プロセッサおよび前記メモリは、
前記ＵＥが前記第１のＲＡＮノードから前記ＲＡＮの第２のＲＡＮノードに遷移することに応答して、内部ＩＤ更新を前記コアネットワークから受信する
ようにさらに構成される、Ｃ２１に記載の第１のＲＡＮノード。
［Ｃ２９］
前記プロセッサおよび前記メモリは、
第１のエリアにおいて前記測距動作を実行するための第１の無線リソースを前記ＵＥに割り振ることと、
前記第１の無線リソースを使用して決定されたロケーション結果に基づいて、前記第１のエリアより小さい第２のエリアにおいて前記測距動作を実行するための第２の無線リソースを前記ＵＥに割り振ることと
を行うようにさらに構成される、Ｃ２１に記載の第１のＲＡＮノード。
［Ｃ３０］
通信ネットワークにおけるユーザ機器（ＵＥ）であって、
ワイヤレス通信のために構成された通信インターフェースと、
メモリと、
前記通信インターフェースおよび前記メモリに動作可能に結合されたプロセッサと
を備え、
前記プロセッサおよび前記メモリは、
前記ＵＥが測距ベースのロケーションサービスセッションをサポートすることを示す要求を無線アクセスネットワーク（ＲＡＮ）に送信することと、
前記測距ベースのロケーションサービスセッションにおいて、測距動作を実行するための無線リソースの割振りを前記ＲＡＮから受信することと、
外部識別子（ＩＤ）を前記ＲＡＮから受信することと、ここで、前記外部ＩＤは、前記測距動作に基づいて前記ＵＥのロケーション結果を識別するためにコアネットワークによって割り振られる、
前記測距ベースのロケーションサービスセッションにおいて、前記コアネットワークによって生成された前記ロケーション結果を受信することと、ここで、前記ロケーション結果は、前記ＵＥに関連する前記外部ＩＤによって識別される、
を行うように構成される、ＵＥ。
［Ｃ３１］
前記プロセッサおよび前記メモリは、
測距レポートを生成するために前記測距動作を実行することと、
前記測距レポートを前記ＲＡＮに送信することと
を行うようにさらに構成され、ここで、前記測距レポートは、前記測距動作に関連する到着時間（ＴＯＡ）データ、シーケンスＩＤ、または無線リソースインデックスのうちの少なくとも１つを備える、
Ｃ３２に記載のＵＥ。
［Ｃ３２］
前記プロセッサおよび前記メモリは、
前記コアネットワークにおいてロケーション管理機能（ＬＭＦ）に宛てられた測位プロトコルメッセージ中に前記測距レポートをカプセル化するようにさらに構成され、前記ＬＭＦは、前記測距レポートに基づいて前記ロケーション結果を決定するように構成される、
Ｃ３３に記載のＵＥ。
［Ｃ３３］
前記プロセッサおよび前記メモリは、
前記ＵＥが前記ＲＡＮとのアクティブ接続のない無線リソース制御（ＲＲＣ）アイドルモードにある間に前記測距レポートを送信する
ようにさらに構成される、Ｃ３３に記載のＵＥ。
［Ｃ３４］
前記プロセッサおよび前記メモリは、
測位プロトコルメッセージ中に前記測距レポートおよび前記外部ＩＤをカプセル化する
ようにさらに構成される、Ｃ３５に記載のＵＥ。
［Ｃ３５］
前記プロセッサおよび前記メモリは、
前記ロケーション結果を備える前記ＵＥへの専用メッセージを受信すること、または
前記ロケーション結果を備えるブロードキャストメッセージを受信すること
を行うようにさらに構成される、Ｃ３２に記載のＵＥ。
［Ｃ３６］
前記プロセッサおよび前記メモリは、
前記要求を前記ＲＡＮの第１のＲＡＮノードに送信することと、
前記ロケーション結果を前記第１のＲＡＮノードとは異なる前記ＲＡＮの第２のＲＡＮノードから受信することと
を行うようにさらに構成される、Ｃ３２に記載のＵＥ。
［Ｃ３７］
前記プロセッサおよび前記メモリは、
前記測距動作を実行するための無線リソースの割振りを前記第２のＲＡＮノードから受信する
ようにさらに構成される、Ｃ３８に記載のＵＥ。
［Ｃ３８］
前記プロセッサおよび前記メモリは、
前記要求を前記ＲＡＮの第１のＲＡＮノードに送信することと、
前記第１のＲＡＮノードから前記ＲＡＮの第２のＲＡＮノードに遷移することと、
測距レポートを前記第２のＲＡＮノードに送信することと
を行うようにさらに構成される、Ｃ３２に記載のＵＥ。
【国際調査報告】
2021509798.tif 000016
2021509798.tif 000017
2021509798.tif 000018
2021509798.tif 000019